(57)【特許請求の範囲】
【請求項１】
無線通信システムにおいて、端末が同期信号ブロック（ＳＳＢ）を測定する方法であって、
（ｉ）ＳＳＢ送信の第１の周期に関する第１のＳＳＢ送信周期情報、及び（ｉｉ）前記ＳＳＢ送信の第１の周期で構成される少なくとも１つのセルを含むセルリストに関する情報を受信するステップと、
ＳＳＢ送信の第２の周期に関する第２のＳＳＢ送信周期情報を受信するステップと、
前記ＳＳＢ送信の第１の周期に基づいて、前記セルリスト内の前記少なくとも１つのセルの中の第１のセルのＳＳＢに対するＲＳＲＰを測定するステップと、
前記ＳＳＢ送信の第２の周期に基づいて、前記セルリスト内の前記少なくとも１つのセルの中にない第２のセルのＳＳＢに対するＲＳＲＰを測定するステップと、を含む、同期信号ブロック測定方法。
【請求項２】
前記第１のセルのＳＳＢに対するＲＳＲＰを測定するステップ及び前記第２のセルのＳＳＢに対するＲＳＲＰを測定するステップは、更に測定タイミングオフセット及び測定区間に関する情報に基づいて実行され、
前記測定タイミングオフセット及び前記測定区間に関する情報は、前記第１のＳＳＢ送信周期情報又は前記第２のＳＳＢ送信周期情報の少なくとも１つと共に受信される、請求項１に記載の同期信号ブロック測定方法。
【請求項３】
前記第１のセルのＳＳＢに対するＲＳＲＰを測定するための第１のＳＳＢ測定ウィンドー及び前記第２のセルのＳＳＢに対するＲＳＲＰを測定するための第２のＳＳＢ測定ウィンドーは、前記測定タイミングオフセット及び前記測定区間に基づいて、共に設定される、請求項２に記載の同期信号ブロック測定方法。
【請求項４】
前記第１のセル及び前記第２のセルのＳＳＢは、主同期信号（ＰＳＳ）、副同期信号（ＳＳＳ）及びＰＢＣＨを含み、
前記第１のセル及び前記第２のセルのＳＳＢに対するＲＳＲＰは、前記ＳＳＳが送信されるリソース要素（ＲＥ）及び前記ＰＢＣＨが受信される領域で受信されるＤＭＲＳを用いて測定される、請求項１に記載の同期信号ブロック測定方法。
【請求項５】
ＲＳＲＰ測定のためのＣＳＩ−ＲＳに関する情報が受信されることに基づいて、前記第１のセル及び前記第２のセルのＳＳＢに対するＲＳＲＰは、更に前記ＣＳＩ−ＲＳを用いて測定される、請求項４に記載の同期信号ブロック測定方法。
【請求項６】
前記第１のＳＳＢ測定ウィンドー及び前記第２のＳＳＢ測定ウィンドー以外の時間区間において、ＲＳＲＰは測定されない、請求項３に記載の同期信号ブロック測定方法。
【請求項７】
無線通信システムにおいて、同期信号ブロック（ＳＳＢ）を測定するよう構成された端末であって、
トランシーバと、
少なくとも１つのプロセッサと、
前記少なくとも１つのプロセッサと動作可能に接続可能な少なくとも１つのコンピュータメモリと、を含み、
前記少なくとも１つのコンピュータメモリは、前記少なくとも１つのプロセッサにより実行されるとき、
（ｉ）ＳＳＢ送信の第１の周期に関する第１のＳＳＢ送信周期情報、及び（ｉｉ）前記ＳＳＢ送信の第１の周期で構成される少なくとも１つのセルを含むセルリストに関する情報を受信し、
ＳＳＢ送信の第２の周期に関する第２のＳＳＢ送信周期情報を受信し、
前記ＳＳＢ送信の第１の周期に基づいて、前記セルリスト内の前記少なくとも１つのセルの中の第１のセルのＳＳＢに対するＲＳＲＰを測定し、
前記ＳＳＢ送信の第２の周期に基づいて、前記セルリスト内の前記少なくとも１つのセルの中にない第２のセルのＳＳＢに対するＲＳＲＰを測定することを含む動作を実行する命令を格納する、端末。
【請求項８】
前記第１のセルのＳＳＢに対するＲＳＲＰを測定すること及び前記第２のセルのＳＳＢに対するＲＳＲＰを測定することは、更に測定タイミングオフセット及び測定区間に関する情報に基づいて実行され、
前記測定タイミングオフセット及び前記測定区間に関する情報は、前記第１のＳＳＢ送信周期情報又は前記第２のＳＳＢ送信周期情報の少なくとも１つと共に受信される、請求項７に記載の端末。
【請求項９】
前記第１のセルのＳＳＢに対するＲＳＲＰを測定するための第１のＳＳＢ測定ウィンドー及び前記第２のセルのＳＳＢに対するＲＳＲＰを測定するための第２のＳＳＢ測定ウィンドーは、前記測定タイミングオフセット及び前記測定区間に基づいて、共に設定される、請求項８に記載の端末。
【請求項１０】
前記第１のセル及び前記第２のセルのＳＳＢは、主同期信号（ＰＳＳ）、副同期信号（ＳＳＳ）及びＰＢＣＨを含み、
前記第１のセル及び前記第２のセルのＳＳＢに対するＲＳＲＰは、前記ＳＳＳが送信されるリソース要素（ＲＥ）及び前記ＰＢＣＨが受信される領域で受信されるＤＭＲＳを用いて測定される、請求項７に記載の端末。
【請求項１１】
ＲＳＲＰ測定のためのＣＳＩ−ＲＳに関する情報が受信されることに基づいて、前記第１のセル及び前記第２のセルのＳＳＢに対するＲＳＲＰは、更に前記ＣＳＩ−ＲＳを用いて測定される、請求項１０に記載の端末。
【請求項１２】
前記第１のＳＳＢ測定ウィンドー及び前記第２のＳＳＢ測定ウィンドー以外の時間区間において、ＲＳＲＰは測定されない、請求項９に記載の端末。
【発明の詳細な説明】
【技術分野】
【０００１】
本発明は、同期信号ブロック（Ｓｙｎｃｈｒｏｎｉｚａｔｉｏｎ  Ｓｉｇｎａｌ  Ｂｌｏｃｋ；ＳＳＢ）を測定する方法及びそのための装置に関し、より詳細には、ＵＥの周辺に位置する複数のセル（Ｃｅｌｌ）が送信するＳＳＢを測定するための各々のセルのＳＳＢ測定タイミングを設定する方法及びそのための装置に関する。
【背景技術】
【０００２】
時代の流れによってより多くの通信装置がより大きな通信容量を要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ  Ｍｏｂｉｌｅ  ＢｒｏａｄＢａｎｄ（ｅＭＢＢ）／Ｕｌｔｒａ−ｒｅｌｉａｂｉｌｉｔｙ  ａｎｄ  ｌｏｗ−ｌａｔｅｎｃｙ  ｃｏｍｍｕｎｉｃａｔｉｏｎ（ＵＲＬＬＣ）／Ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ．ｇ．，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ．ｇ．，ＩｏＴ）。
【発明の概要】
【発明が解決しようとする課題】
【０００４】
本発明は、同期信号ブロック（Ｓｙｎｃｈｒｏｎｉｚａｔｉｏｎ  Ｓｉｇｎａｌ  Ｂｌｏｃｋ；ＳＳＢ）を測定する方法及びそのための装置を提供しようとする。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の実施例による無線通信システムにおいて、端末が同期信号ブロック（Ｓｙｎｃｈｒｏｎｉｚａｔｉｏｎ  Ｓｉｇｎａｌ  Ｂｌｏｃｋ；ＳＳＢ）を測定する方法であって、１つ以上の第１のセルの情報を含むセルリスト、前記１つ以上のセルのための第１のＳＳＢ送信周期（ｐｅｒｉｏｄｉｃｉｔｙ）情報及び前記セルリストに含まれない第２のセルのための第２のＳＳＢ送信周期情報を受信して、前記第１のＳＳＢ送信周期情報を用いて設定（ｓｅｔｕｐ）された第１のＳＳＢ測定ウィンドーに基づいて、前記１つ以上の第１のセルのＳＳＢに対するＲＳＲＰ（Ｒｅｆｅｒｅｎｃｅ  Ｓｉｇｎａｌ  Ｒｅｃｅｉｖｅｄ  Ｐｏｗｅｒ）を測定して、前記第２のＳＳＢ送信周期情報を用いて設定（ｓｅｔｕｐ）された第２のＳＳＢ測定ウィンドーに基づいて、前記第２のセルのＳＳＢに対するＲＳＲＰを測定することを含むことができる。
【０００７】
このとき、前記第１、第２のＳＳＢ測定ウィンドーは、前記第１、第２のＳＳＢ送信周期情報のうち少なくとも１つと共に受信される、オフセット及び測定区間（ｄｕｒａｔｉｏｎ）に関する情報をさらに用いて設定（ｓｅｔｕｐ）されることができる。
【０００８】
また、前記第１、第２のＳＳＢ測定ウィンドーは、同一のオフセット及び同一の測定区間に関する情報を用いて設定されることができる。
【０００９】
また、前記第１、第２のセルのＳＳＢは、主同期信号（Ｐｒｉｍａｒｙ  Ｓｙｎｃｈｒｏｎｉｚａｔｉｏｎ  Ｓｉｇｎａｌ；ＰＳＳ）、副同期信号（Ｓｅｃｏｎｄａｒｙ  Ｓｙｎｃｈｒｏｎｉｚａｔｉｏｎ  Ｓｉｇｎａｌ；ＳＳＳ）及びＰＢＣＨ（Ｐｈｙｓｉｃａｌ  Ｂｒｏａｄｃａｓｔｉｎｇ  Ｃｈａｎｎｅｌ）で構成されることができる。
【００１０】
また、前記第１、第２のセルのＳＳＢに対するＲＳＲＰは、ＳＳＳが送信されるリソース要素（Ｒｅｓｏｕｒｃｅ  Ｅｌｅｍｅｎｔ；ＲＥ）及び前記ＰＢＣＨが受信される領域で受信されるＤＭＲＳ（Ｄｅｍｏｄｕｌａｔｉｏｎ  Ｒｅｆｅｒｅｎｃｅ  Ｓｉｇｎａｌ）を用いて測定されることができる。
【００１１】
また、ＲＳＲＰ測定のためのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）に関する情報がさらに受信された場合、前記第１、第２のセルのＳＳＢに対するＲＳＲＰは、前記ＣＳＩ−ＲＳをさらに用いて測定されることができる。
【００１２】
また、前記第１、第２のＳＳＢ測定ウィンドー以外の時間にはＲＳＲＰを測定しないことができる。
【００１３】
本発明による無線通信システムにおいて、同期信号ブロック（Ｓｙｎｃｈｒｏｎｉｚａｔｉｏｎ  Ｓｉｇｎａｌ  Ｂｌｏｃｋ；ＳＳＢ）を測定する端末であって、信号を送受信するトランシーバ；および前記トランシーバを制御するプロセッサを含み、前記プロセッサは、１つ以上の第１のセルの情報を含むセルリスト、前記１つ以上のセルのための第１のＳＳＢ送信周期（ｐｅｒｉｏｄｉｃｉｔｙ）情報及び前記セルリストに含まれない第２のセルのための第２のＳＳＢ送信周期情報を受信するように前記トランシーバを制御して、前記第１のＳＳＢ送信周期情報を用いて設定（ｓｅｔｕｐ）された第１のＳＳＢ測定ウィンドーに基づいて、前記１つ以上の第１のセルのＳＳＢに対するＲＳＲＰ（Ｒｅｆｅｒｅｎｃｅ  Ｓｉｇｎａｌ  Ｒｅｃｅｉｖｅｄ  Ｐｏｗｅｒ）を測定して、前記第２のＳＳＢ送信周期情報を用いて設定（ｓｅｔｕｐ）された第２のＳＳＢ測定ウィンドーに基づいて、前記第２のセルが送信するＳＳＢのＲＳＲＰを測定することを含むことができる。
【００１４】
このとき、前記第１、第２のＳＳＢ測定ウィンドーは、前記第１、第２のＳＳＢ送信周期情報のうち少なくとも１つと共に受信される、オフセット及び測定区間（ｄｕｒａｔｉｏｎ）に関する情報をさらに用いて設定されることができる。
【００１５】
また、前記第１、第２のＳＳＢ測定ウィンドーは、同一のオフセット及び同一の測定区間に関する情報を用いて設定されることができる。
【００１６】
また、前記第１、第２のセルのＳＳＢは、主同期信号（Ｐｒｉｍａｒｙ  Ｓｙｎｃｈｒｏｎｉｚａｔｉｏｎ  Ｓｉｇｎａｌ；ＰＳＳ）、副同期信号（Ｓｅｃｏｎｄａｒｙ  Ｓｙｎｃｈｒｏｎｉｚａｔｉｏｎ  Ｓｉｇｎａｌ；ＳＳＳ）及びＰＢＣＨ（Ｐｈｙｓｉｃａｌ  Ｂｒｏａｄｃａｓｔｉｎｇ  Ｃｈａｎｎｅｌ）で構成され、前記第１、第２のセルのＳＳＢに対するＲＳＲＰは、ＳＳＳが送信されるリソース要素（Ｒｅｓｏｕｒｃｅ  Ｅｌｅｍｅｎｔ；ＲＥ）及び前記ＰＢＣＨが受信される領域で受信されるＤＭＲＳ（Ｄｅｍｏｄｕｌａｔｉｏｎ  Ｒｅｆｅｒｅｎｃｅ  Ｓｉｇｎａｌ）を用いて測定されることができる。
【００１７】
また、ＲＳＲＰ測定のためのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）に関する情報がさらに受信された場合、前記第１、第２のセルのＳＳＢに対するＲＳＲＰは、前記ＣＳＩ−ＲＳをさらに用いて測定されることができる。
【００１８】
また、前記第１、第２のＳＳＢ測定ウィンドー以外の時間にはＲＳＲＰを測定しないことができる。
【発明の効果】
【００１９】
本発明によれば、ネットワークが複数の同期信号ブロック送信周期を支援する場合、各々のセルごとに同期信号ブロックの送信周期を設定して、各々のセルとＵＥの間の関係による効率的な同期信号ブロックの測定を可能にすることができる。
【００２０】
本発明で得られる効果は以上に言及した効果に制限されず、言及しなかった他の効果は下記の記載から本発明が属する当該技術分野における当業者に明確に理解されるであろう。
【図面の簡単な説明】
【００２１】
【図１】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図２】３ＧＰＰシステムに用いられる物理チャネル及びこれらを用いた一般的な信号送信方法を説明する図である。
【図３】ＬＴＥシステムで用いられる同期信号（ｓｙｎｃｈｒｏｎｉｚａｔｉｏｎ  ｓｉｇｎａｌ，ＳＳ）の送信のための無線フレームの構造を例示する図である。
【図４】新たな無線接続技術（ｎｅｗ  ｒａｄｉｏ  ａｃｃｅｓｓ  ｔｅｃｈｎｏｌｏｇｙ，ＮＲ）で利用可能なスロット構造を例示する図である。
【図５】ＴＸＲＵとアンテナ要素の接続方式の一例を示す図である。
【図６】送受信器ユニット（ｔｒａｎｓｃｅｉｖｅｒ  ｕｎｉｔ，ＴＸＲＵ）及び物理的アンテナ観点においてハイブリットビームフォーミング構造を簡単に示す図である。
【図７】下りリンク送信過程において同期信号とシステム情報に対するビームスイーピング（Ｂｅａｍ  Ｓｗｅｅｐｉｎｇ）動作を示す図である。
【図８】新たな無線接続技術（ｎｅｗ  ｒａｄｉｏ  ａｃｃｅｓｓ  ｔｅｃｈｎｏｌｏｇｙ，ＮＲ）システムのセルを例示する図である。
【図９】本発明の実施例による副同期信号（Ｓｅｃｏｎｄａｒｙ  Ｓｙｎｃｈｒｏｎｉｚａｔｉｏｎ  Ｓｉｇｎａｌ；ＳＳＳ）及びＰＢＣＨ−ＤＭＲＳ（Ｐｈｙｓｉｃａｌ  Ｂｒｏａｄｃａｓｔ  Ｃｈａｎｎｅｌ−Ｄｅｍｏｄｕｌａｔｉｏｎ  Ｒｅｆｅｒｅｎｃｅ  Ｓｉｇｎａｌ）を用いたＲＳＲＰ（Ｒｅｆｅｒｅｎｃｅ  Ｓｉｇｎａｌ  Ｒｅｃｅｉｖｅｄ  Ｐｏｗｅｒ）測定結果を示す図である。
【図１０】本発明による各セルごとに同期信号ブロックの送信周期を設定する実施例を説明するための図である。
【図１１】本発明を実行する送信装置１０及び受信装置２０の構成要素を示すブロック図である。
【発明を実施するための形態】
【００２２】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２３】
本明細書ではＬＴＥシステム及びＬＴＥ−Ａシステム及びＮＲシステムを用いて本発明の実施例を説明するが、これは例示に過ぎず、本発明の実施例は、上述した定義に該当するいかなる通信システムにも適用可能である。
【００２４】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００２５】
３ＧＰＰベース通信標準は、上位層からの情報を運ぶリソース要素に対応する下りリンク物理チャネルと、物理層によって使用されるものの上位層からの情報を運ばないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）、物理ブロードキャストチャネル（ｐｈｙｓｉｃａｌ  ｂｒｏａｄｃａｓｔ  ｃｈａｎｎｅｌ，ＰＢＣＨ）、物理マルチキャストチャネル（ｐｈｙｓｉｃａｌ  ｍｕｌｔｉｃａｓｔ  ｃｈａｎｎｅｌ，ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ，ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ，ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ，ＲＳ）は、ｇＮＢとＵＥとが互いに知っている予め定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ，ＵＥ−ＲＳ）、ポジショニングＲＳ（ｐｏｓｉｔｉｏｎｉｎｇ  ＲＳ，ＰＲＳ）及びチャネル状態情報ＲＳ（ｃｈａｎｎｅｌ  ｓｔａｔｅ  ｉｎｆｏｒｍａｔｉｏｎ  ＲＳ，ＣＳＩ−ＲＳ）が下りリンク参照信号として定義される。３ＧＰＰ  ＬＴＥ／ＬＴＥ−Ａ標準は、上位層からの情報を運ぶリソース要素に対応する上りリンク物理チャネルと、物理層によって使用されるものの、上位層からの情報を運ばないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ，ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ，ＰＵＣＣＨ）、物理任意接続チャネル（ｐｈｙｓｉｃａｌ  ｒａｎｄｏｍ  ａｃｃｅｓｓ  ｃｈａｎｎｅｌ，ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ，ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ，ＳＲＳ）が定義される。
【００２６】
本発明では、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で、或いは、を通じて、上りリンク制御情報／上りリンクデータ／ランダムアクセス信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で、或いは、を通じて、下りリンクデータ／制御情報を送信することと同じ意味で使われる。
【００２７】
以下では、ＣＲＳ／ＤＭＲＳ／ＣＳＩ−ＲＳ／ＳＲＳ／ＵＥ−ＲＳが割り当てられた或いは設定された（Ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ（ｔｒａｃｋｉｎｇ  ＲＳ，ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００２８】
本発明でいう、ＣＲＳポート、ＵＥ-ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。したがって、ＣＲＳ／ＵＥ−ＲＳ／ＣＳＩ−ＲＳ／ＴＲＳポートという用語が、一定のリソース領域内でＣＲＳ／ＵＥ−ＲＳ／ＣＳＩ−ＲＳ／ＴＲＳが占有するＲＥのパターンを意味する用語として用いられることもある。
【００２９】
図１は、３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは端末（Ｕｓｅｒ  Ｅｑｕｉｐｍｅｎｔ；ＵＥ）とネットワークがコール（ｃａｌｌ）を管理するために用いる制御メッセージが送信される通路を意味する。ユーザプレーンはアプリケーション層で生成されたデータ、例えば、音声データ又はインターネットパケットデータなどが送信される通路を意味する。
【００３０】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して連結される。この送信チャネルを介して媒体接続制御層と物理層の間でデータが移動する。送信側と受信側の物理層の間では物理チャネルを介してデータが移動する。物理チャネルは時間と周波数を無線リソースとして活用する。具体的には、物理チャネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３１】
第２の層である媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現できる。第２の層のＰＤＣＰ層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【００３２】
第３の層である最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は無線ベアラ（Ｒａｄｉｏ  Ｂｅａｒｅｒ）の設定、再設定及び解除に関連して論理チャネル、送信チャネル及び物理チャネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）となり、そうではない場合はＲＲＣ休止状態（Ｉｄｌｅ  Ｍｏｄｅ）となる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３３】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は特の下りＭＣＨ（Ｍｕｌｔｉｃａｓｔ  Ｃｈａｎｎｅｌ）を介して送信されることができる。なお、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位にありかつ送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３４】
図２は、３ＧＰＰシステムに用いられる物理チャネル及びこれらを用いた一般的な信号送信方法を説明する図である。
【００３５】
端末は、電源がオンになったり新たにセルに進入した場合は、基地局と同期を取るなどの初期セル探索（Ｉｎｉｔｉａｌ  ｃｅｌｌ  ｓｅａｒｃｈ）作業を行う（Ｓ２０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信することによって基地局と同期を取り、セルＩＤなどの情報を得ることができる。その後、端末は基地局から物理放送チャネル（Ｐｈｙｓｉｃａｌ  Ｂｒｏａｄｃａｓｔ  Ｃｈａｎｎｅｌ）を受信してセル内の放送情報を得ることができる。なお、端末は初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３６】
初期セル探索を終了した端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに載せられた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を得ることができる（Ｓ２０２）。
【００３７】
一方、基地局に最初に接続したか或いは信号送信のための無線リソースがない場合は、端末は、基地局に対して任意接続過程（Ｒａｎｄｏｍ  Ａｃｃｅｓｓ  Ｐｒｏｃｅｄｕｒｅ；ＲＡＣＨ）を行うことができる（Ｓ２０３〜Ｓ２０６）。このために、端末は、物理任意接続チャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競合ベースのＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００３８】
上述した手順を行った端末は、その後、一般的な上り／下りリンク信号送信の手順として、ＰＤＣＣＨ／ＰＤＳＣＨ受信（Ｓ２０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行う。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報などの制御情報を含み、その使用目的に応じてフォーマットが互いに異なる。
【００３９】
一方、端末が上りリンクを通じて基地局に送信したり又は端末が基地局から受信したりする制御情報は、下り／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は上述したＣＱＩ／ＰＭＩ／ＲＩなどの制御情報をＰＵＳＣＨ及び／又はＰＵＣＣＨを介して送信することができる。
【００４０】
図３は、ＬＴＥ／ＬＴＥ−Ａベースの無線通信システムにおいて、同期信号（ｓｙｎｃｈｒｏｎｉｚａｔｉｏｎ  ｓｉｇｎａｌ，ＳＳ）の送信のための無線フレームの構造を例示する図である。特に、図３は、周波数分割デュプレックス（ｆｒｅｑｕｅｎｃｙ  ｄｉｖｉｓｉｏｎ  ｄｕｐｌｅｘ，ＦＤＤ）において同期信号及びＰＢＣＨの送信のための無線フレームの構造を例示するものであって、図３（ａ）は、正規ＣＰ（ｎｏｒｍａｌ  ｃｙｃｌｉｃ  ｐｒｅｆｉｘ）として設定された（ｃｏｎｆｉｇｕｒｅｄ）無線フレームにおいてＳＳ及びＰＢＣＨの送信位置を示し、図３（ｂ）は、拡張ＣＰ（ｅｘｔｅｎｄｅｄ  ＣＰ）として設定された無線フレームにおいてＳＳ及びＰＢＣＨの送信位置を示す。
【００４１】
以下、図３を参照して、ＳＳをより具体的に説明する。ＳＳは、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）とに区分される。ＰＳＳは、ＯＦＤＭシンボル同期、スロット同期などの時間ドメイン同期及び／又は周波数ドメイン同期を得るために用いられ、ＳＳＳは、フレーム同期、セルグループＩＤ及び／又はセルのＣＰ設定（ｃｏｎｆｉｇｕｒａｔｉｏｎ）（即ち、正規ＣＰ又は拡張ＣＰの使用情報）を得るために用いられる。図３を参照すると、ＰＳＳとＳＳＳは、各無線フレームの２つのＯＦＤＭシンボルでそれぞれ送信される。具体的に、ＳＳは、インター−ＲＡＴ（ｉｎｔｅｒ  ｒａｄｉｏ  ａｃｃｅｓｓ  ｔｅｃｈｎｏｌｏｇｙ）測定を容易にするために、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）フレームの長さである４．６ｍｓを考慮して、サブフレーム０の第１番目のスロットとサブフレーム５の第１番目のスロットでそれぞれ送信される。特に、ＰＳＳは、サブフレーム０の第１番目のスロットの最後のＯＦＤＭシンボルとサブフレーム５の第１番目のスロットの最後のＯＦＤＭシンボルでそれぞれ送信され、ＳＳＳは、サブフレーム０の第１番目のスロットの最後から第２番目のＯＦＤＭシンボルとサブフレーム５の第１番目のスロットの最後から第２番目のＯＦＤＭシンボルでそれぞれ送信される。当該無線フレームの境界は、ＳＳＳによって検出されることができる。ＰＳＳは、当該スロットの最後のＯＦＤＭシンボルで送信され、ＳＳＳは、ＰＳＳ直前のＯＦＤＭシンボルで送信される。ＳＳの送信ダイバーシティ（ｄｉｖｅｒｓｉｔｙ）方式は、単一アンテナポート（ｓｉｎｇｌｅ  ａｎｔｅｎｎａ  ｐｏｒｔ）のみを用いて、標準では特に定義していない。
【００４２】
ＰＳＳは５ｍｓごとに送信されるため、ＵＥはＰＳＳを検出することで、当該サブフレームがサブフレーム０とサブフレーム５のうち１つであることが分かるが、当該サブフレームがサブフレーム０とサブフレーム５のうちいずれなのかは具体的に分からない。よって、ＵＥは、ＰＳＳのみでは無線フレームの境界が認知できない。即ち、ＰＳＳのみではフレーム同期が取得できない。ＵＥは一無線フレーム内において２回送信されるものの、互いに異なるシーケンスとして送信されるＳＳＳを検出して無線フレームの境界を検出する。
【００４３】
ＰＳＳ／ＳＳＳを用いたセル（ｃｅｌｌ）探索過程を行い、ＤＬ信号の復調（ｄｅｍｏｄｕｌａｔｉｏｎ）及びＵＬ信号の送信を正確な時点に行うのに必要な時間及び周波数パラメータを決定したＵＥは、また、ｅＮＢからＵＥのシステム設定（ｓｙｓｔｅｍ  ｃｏｎｆｉｇｕｒａｔｉｏｎ）に必要なシステム情報を取得してこそ、前記ｅＮＢと通信することができる。
【００４４】
システム情報は、マスター情報ブロック（Ｍａｓｔｅｒ  Ｉｎｆｏｒｍａｔｉｏｎ  Ｂｌｏｃｋ，ＭＩＢ）及びシステム情報ブロック（Ｓｙｓｔｅｍ  Ｉｎｆｏｒｍａｔｉｏｎ  Ｂｌｏｃｋ，ＳＩＢ）によって設定される（ｃｏｎｆｉｇｕｒｅｄ）。各システム情報ブロックは、機能的に関連するパラメータの集合を含み、含むパラメータに応じてマスター情報ブロック（Ｍａｓｔｅｒ  Ｉｎｆｏｒｍａｔｉｏｎ  Ｂｌｏｃｋ，ＭＩＢ）及びシステム情報ブロックタイプ１（Ｓｙｓｔｅｍ  Ｉｎｆｏｒｍａｔｉｏｎ  Ｂｌｏｃｋ  Ｔｙｐｅ  １，ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２，ＳＩＢ２）、ＳＩＢ３−ＳＩＢ１７に区分できる。
【００４５】
ＭＩＢは、ＵＥがｅＮＢのネットワーク（ｎｅｔｗｏｒｋ）に初期接続（ｉｎｉｔｉａｌ  ａｃｃｅｓｓ）するのに必須な最も頻繁に送信されるパラメータを含む。ＵＥは、ＭＩＢをブロードキャストチャネル（例えば、ＰＢＣＨ）を介して受信することができる。ＭＩＢには、下りリンクシステム帯域幅（ｄｌ−Ｂａｎｄｗｉｄｔｈ，ＤＬ  ＢＷ）、ＰＨＩＣＨ設定（ｃｏｎｆｉｇｕｒａｔｉｏｎ）、システムフレームナンバー（ＳＦＮ）が含まれる。よって、ＵＥは、ＰＢＣＨを受信することで、明示的（ｅｘｐｌｉｃｉｔ）に、ＤＬ  ＢＷ、ＳＦＮ、ＰＨＩＣＨ設定に関する情報が分かる。一方、ＰＢＣＨ受信によってＵＥが暗示的（ｉｍｐｌｉｃｉｔ）に分かる情報としては、ｅＮＢの送信アンテナポートの数がある。ｅＮＢの送信アンテナ数に関する情報は、ＰＢＣＨのエラー検出に用いられる１６−ビットＣＲＣ（Ｃｙｃｌｉｃ  Ｒｅｄｕｎｄａｎｃｙ  Ｃｈｅｃｋ）に送信アンテナ数に対応するシーケンスをマスク（例えば、ＸＯＲ演算）して、暗示的にシグナルリングされる。
【００４６】
ＳＩＢ１は、他のＳＩＢの時間ドメインスケジューリングに関する情報のみならず、特定のセルがセル選択に適したセルであるか否かを判断するのに必要なパラメータを含む。ＳＩＢ１はブロードキャストシグナリング又は専用（ｄｅｄｉｃａｔｅｄ）シグナリングによってＵＥに受信される。
【００４７】
ＤＬ搬送波周波数と当該システム帯域幅は、ＰＢＣＨが運ぶＭＩＢによって取得することができる。ＵＬ搬送波周波数及び当該システム帯域幅は、ＤＬ信号であるシステム情報によって得られる。ＭＩＢを受信したＵＥは、当該セルに対して格納された有効なシステム情報がないと、システム情報ブロックタイプ２（ＳｙｓｔｅｍＩｎｆｏｒｍａｔｉｏｎＢｌｏｃｋＴｙｐｅ２，ＳＩＢ２）が受信されるまで、ＭＩＢ内のＤＬ  ＢＷの値をＵＬ−帯域幅（ＵＬ  ＢＷ）に適用する。例えば、ＵＥは、システム情報ブロックタイプ２（ＳｙｓｔｅｍＩｎｆｏｒｍａｔｉｏｎＢｌｏｃｋＴｙｐｅ２，ＳＩＢ２）を取得して、前記ＳＩＢ２内のＵＬ−搬送波周波数及びＵＬ−帯域幅情報によってＵＥがＵＬ送信に使用可能な全体のＵＬシステム帯域を把握することができる。
【００４８】
周波数ドメインにおいて、ＰＳＳ／ＳＳＳ及びＰＢＣＨは、実際のシステム帯域幅とは関係なく、当該ＯＦＤＭシンボルにおいてＤＣ副搬送波を中心として、左右３個ずつ、全６個のＲＢ、即ち、全７２個の副搬送波内でのみ送信される。よって、ＵＥは、ＵＥに設定された（ｃｏｎｆｉｇｕｒｅｄ）下りリンク送信帯域幅とは関係なく、ＳＳ及びＰＢＣＨを検出（ｄｅｔｅｃｔ）或いは復号（ｄｅｃｏｄｅ）できるように設定される（ｃｏｎｆｉｇｕｒｅｄ）。
【００４９】
初期セル探索を終えたＵＥは、ｅＮＢへの接続を完了するために、任意接続過程（ｒａｎｄｏｍ ａｃｃｅｓｓ ｐｒｏｃｅｄｕｒｅ）を行うことができる。このために、ＵＥは、物理任意接続チャネル（ｐｈｙｓｉｃａｌ ｒａｎｄｏｍ ａｃｃｅｓｓ ｃｈａｎｎｅｌ, ＰＲＡＣＨ）を通じてプリアンブル（ｐｒｅａｍｂｌｅ）を送信し、ＰＤＣＣＨ及びＰＤＳＣＨを通じてプリアンブルへの応答メッセージを受信することができる。競合ベースの任意接続（ｃｏｎｔｅｎｔｉｏｎ  ｂａｓｅｄ  ｒａｎｄｏｍ  ａｃｃｅｓｓ）の場合、更なるＰＲＡＣＨの送信、またＰＤＣＣＨ及びＰＤＣＣＨに対応するＰＤＳＣＨのような衝突解決手順（ｃｏｎｔｅｎｔｉｏｎ  ｒｅｓｏｌｕｔｉｏｎ  ｐｒｏｃｅｄｕｒｅ）を行うことができる。
【００５０】
上述したような手順を行ったＵＥは、その後、一般的な上りリンク／下りリンク信号送信手順として、ＰＤＣＣＨ／ＰＤＳＣＨ受信及びＰＵＳＣＨ／ＰＵＣＣＨ送信を行うことができる。
【００５１】
上述した任意接続過程は、任意接続チャネル（ｒａｎｄｏｍ  ａｃｃｅｓｓ  ｃｈａｎｎｅｌ，ＲＡＣＨ）手順とも呼ばれる。任意接続過程は、初期接続、上りリンク同期調整、リソース割り当て、ハンドオーバーなどの用途として様々に用いられる。任意接続過程は、競合−ベース（ｃｏｎｔｅｎｔｉｏｎ-ｂａｓｅｄ）過程と、専用（ｄｅｄｉｃａｔｅｄ）（即ち、非−競合−ベース）過程とに分類できる。競合−ベースの任意接続過程は、初期接続を含んで一般的に用いられ、専用任意接続過程はハンドオーバーなどに制限的に用いられる。競合−ベースの任意接続過程において、ＵＥはＲＡＣＨプリアンブルシーケンスを任意に（ｒａｎｄｏｍｌｙ）選択する。よって、複数のＵＥが同時に同一のＲＡＣＨプリアンブルシーケンスを送信することが可能であり、これによって、その後に衝突解決手順が必要となる。一方、専用任意接続過程において、ＵＥはｅＮＢが当該ＵＥに唯一に割り当てたＲＡＣＨプリアンブルシーケンスを用いる。よって、他のＵＥとの衝突なく任意接続過程を行うことができる。
【００５２】
競合−ベースの任意接続過程は、以下の４ステップを含む。以下、ステップ１〜４で送信されるメッセージのそれぞれをメッセージ１〜４（Ｍｓｇ１〜Ｍｓｇ４）と称することができる。
【００５３】
−  ステップ１：ＲＡＣＨプリアンブル（ｖｉａ  ＰＲＡＣＨ）（ＵＥ  ｔｏ  ｅＮＢ）
【００５４】
−  ステップ２：任意接続応答（ｒａｎｄｏｍ  ａｃｃｅｓｓ  ｒｅｓｐｏｎｓｅ，ＲＡＲ）（ｖｉａ  ＰＤＣＣＨ及びＰＤＳＣＨ）（ｅＮＢ  ｔｏ  ＵＥ）
【００５５】
−  ステップ３：レイヤ２／レイヤ３メッセージ（ｖｉａ  ＰＵＳＣＨ）（ＵＥ  ｔｏ  ｅＮＢ）
【００５６】
−  ステップ４：衝突解決（ｃｏｎｔｅｎｔｉｏｎ  ｒｅｓｏｌｕｔｉｏｎ）メッセージ（ｅＮＢ  ｔｏ  ＵＥ）
【００５７】
専用の任意接続過程は、以下の３ステップを含む。以下、ステップ０〜２で送信されるメッセージのそれぞれはメッセージ０〜２（Ｍｓｇ０〜Ｍｓｇ２）と称する。任意接続過程の一部としてＲＡＲに対応する上りリンク送信（即ち、ステップ３）を行うこともできる。専用の任意接続過程は、基地局がＲＡＣＨプリアンブル送信を命令するためのＰＤＣＣＨ（以下、ＰＤＣＣＨオーダー（ｏｒｄｅｒ））を用いてトリガされることができる。
【００５８】
−  ステップ０：専用シグナリングによるＲＡＣＨプリアンブル割り当て（ｅＮＢ  ｔｏ  ＵＥ）
【００５９】
−  ステップ１：ＲＡＣＨプリアンブル（ｖｉａ  ＰＲＡＣＨ）（ＵＥ  ｔｏ  ｅＮＢ）
【００６０】
−  ステップ２：任意接続応答（ＲＡＲ）（ｖｉａ  ＰＤＣＣＨ及びＰＤＳＣＨ）（ｅＮＢ  ｔｏ  ＵＥ）
【００６１】
ＲＡＣＨプリアンブルを送信した後、ＵＥは予め−設定された時間ウィンドー内で任意接続応答（ＲＡＲ）の受信を試みる。具体的に、ＵＥは、時間ウィンドー内でＲＡ−ＲＮＴＩ（Ｒａｎｄｏｍ  Ａｃｃｅｓｓ  ＲＮＴＩ）を有するＰＤＣＣＨ（以下、ＲＡ−ＲＮＴＩ  ＰＤＣＣＨ）（例えば、ＰＤＣＣＨにおいてＣＲＣがＲＡ−ＲＮＴＩでマスクされる）の検出を試みる。ＲＡ−ＲＮＴＩ  ＰＤＣＣＨ検出時に、ＵＥは、ＲＡ−ＲＮＴＩ  ＰＤＣＣＨに対応するＰＤＳＣＨ内に、ＵＥのためのＲＡＲが存在するか否かを確認する。ＲＡＲは、ＵＬ同期化のためのタイミングオフセット情報を示すタイミングアドバンス（ｔｉｍｉｎｇ  ａｄｖａｎｃｅ, ＴＡ）情報、ＵＬリソース割り当て情報（ＵＬグラント情報）、仮り端末識別子（例えば、ｔｅｍｐｏｒａｒｙ  ｃｅｌｌ−ＲＮＴＩ, ＴＣ−ＲＮＴＩ）などを含む。ＵＥは、ＲＡＲ内のリソース割り当て情報及びＴＡ値に応じてＵＬ送信（例えば、Ｍｓｇ３）を行うことができる。ＲＡＲに対応するＵＬ送信にはＨＡＲＱが適用される。したがって、ＵＥは、Ｍｓｇ３を送信した後、Ｍｓｇ３に対応する受信応答情報（例えば、ＰＨＩＣＨ）を受信することができる。
【００６２】
任意接続プリアンブル、即ち、ＲＡＣＨプリアンブルは、物理層において長さＴＣＰの循環前置（ｃｙｃｌｉｃ  ｐｒｅｆｉｘ）及び長さＴＳＥＱのシーケンスからなる。ＴＣＰのＴＳＥＱは、フレーム構造と任意接続設定（ｃｏｎｆｉｇｕｒａｔｉｏｎ）に依存する。プリアンブルフォーマットは上位層によって制御される。ＲＡＣＨプリアンブルはＵＬサブフレームから送信される。任意接続プリアンブルの送信は、特定の時間及び周波数リソースに制限（ｒｅｓｔｒｉｃｔ）される。このようなリソースをＰＲＡＣＨリソースと呼び、ＰＲＡＣＨリソースは、インデックス０が無線フレームにおいて低い番号のＰＲＢ及びサブフレームに対応するように、前記無線フレーム内のサブフレーム番号と、周波数ドメインにおいてＰＲＢの増加順に番号付けられる。任意接続リソースがＰＲＡＣＨ設定インデックスによって定義される（３ＧＰＰ  ＴＳ  ３６．２１１標準文書を参照）。ＰＲＡＣＨ設定インデックスは（ｅＮＢによって送信される）上位層信号によって与えられる。
【００６３】
ＬＴＥ／ＬＴＥ−Ａシステムにおいて任意接続プリアンブル、即ち、ＲＡＣＨプリアンブルのための副搬送波間隔（Ｓｕｂｃａｒｒｉｅｒ  Ｓｐａｃｉｎｇ）は、プリアンブルフォーマット０〜３の場合は１．２５ｋＨｚであり、プリアンブルフォーマット４の場合は７．５ｋＨｚであると規定される（３ＧＰＰ  ＴＳ  ３６．２１１を参照）。
【００６４】
＜ＬＴＥにおけるＲＲＭ（Ｒａｄｉｏ  Ｒｅｓｏｕｒｃｅ  Ｍａｎａｇｅｍｅｎｔ）測定（Ｍｅａｓｕｒｅｍｅｎｔ）＞
【００６５】
ＬＴＥシステムでは、電力制御（Ｐｏｗｅｒ  ｃｏｎｔｒｏｌ）、スケジューリング（Ｓｃｈｅｄｕｌｉｎｇ）、セル検索（Ｃｅｌｌ  ｓｅａｒｃｈ）、セル再選択（Ｃｅｌｌ  ｒｅｓｅｌｅｃｔｉｏｎ）、ハンドオーバー（Ｈａｎｄｏｖｅｒ）、無線リンク又は連結モニタリング（Ｒａｄｉｏ  ｌｉｎｋ  ｏｒ  Ｃｏｎｎｅｃｔｉｏｎ  ｍｏｎｉｔｏｒｉｎｇ）、連結確立／再確立（Ｃｏｎｎｅｃｔｉｏｎ  ｅｓｔａｂｌｉｓｈ／ｒｅ−ｅｓｔａｂｌｉｓｈ）などを含むＲＲＭ動作を支援する。このとき、サービングセル（Ｓｅｒｖｉｎｇ  Ｃｅｌｌ）は、ＵＥにＲＲＭ動作を行うための測定値であるＲＲＭ測定（ｍｅａｓｕｒｅｍｅｎｔ）情報を要請することができる。特に、ＬＴＥシステムでは、ＵＥが各セル（Ｃｅｌｌ）に対するセル探索（Ｃｅｌｌ  ｓｅａｒｃｈ）情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して報告することができる。具体的に、ＬＴＥシステムでは、ＵＥがサービングセルからＲＲＭ測定のための上位層信号として「ｍｅａｓＣｏｎｆｉｇ」を受信する。それにより、ＵＥは「ｍｅａｓＣｏｎｆｉｇ」の情報に従ってＲＳＲＰ又はＲＳＲＱを測定する。ここで、ＬＴＥシステムのＴＳ  ３６．２１４文書によるＲＳＲＰ、ＲＳＲＱ及びＲＳＳＩの定義は、以下のようである。
【００６６】
-  ＲＳＲＰ：ＲＳＲＰは、測定周波数帯域幅内で送信されるセル特定の参照信号（Ｃｅｌｌ  ｓｐｅｃｉｆｉｃ  ｒｅｆｅｒｅｎｃｅ  ｓｉｇｎａｌ；ＣＲＳ）のリソース要素（Ｒｅｓｏｕｒｃｅ  Ｅｌｅｍｅｎｔ；ＲＥ）の電力寄与度（[Ｗ]）に対する線形平均で定義される。また、ＲＳＲＰを決定するために、ＴＳ  ３６．２１１によるＣＲＳ  Ｒ０が用いられる。場合によっては、信頼性を高めるために、さらにＣＲＳ  Ｒ１が用いられてもよい。ＲＳＲＰのための基準点は、ＵＥのアンテナコネクタである必要があり、受信ダイバーシティが用いられる場合、報告されるＲＳＲＰ値は、各々のダイバーシティのうちいずれか１つのＲＳＲＰより低くてはならない。
【００６７】
−  ＲＳＲＱ：ＲＳＲＱは、Ｎ＊ＲＳＲＰ／（Ｅ−ＵＴＲＡ搬送波のＲＳＳＩ）で定義される。このとき、Ｎは、Ｅ−ＵＴＲＡ搬送波ＲＳＳＩ測定帯域幅のＲＢ数である。このとき、「Ｎ＊ＲＳＲＰ」の測定と、「Ｅ−ＵＴＲＡ搬送波のＲＳＳＩ」の測定は、同一のリソースブロックセット（ＲＢ  ｓｅｔ）によって行われる。
【００６８】
Ｅ−ＵＴＲＡ搬送波ＲＳＳＩは、サービングセルとノンサービングセル（ｎｏｎ−ｓｅｒｖｉｎｇ  ｃｅｌｌ）の同じチャネル、隣接チャネル干渉、熱雑音などを含む全てのソースから得られるＮ個のリソースブロック上において、アンテナポート０のための参照シンボルを含むＯＦＤＭシンボルでのみ測定された全受信電力の線形平均値で取得される。
【００６９】
上位層シグナリングがＲＳＲＰ測定のための特定のサブフレームを指示する場合、ＲＳＳＩは、指示された全てのＯＦＤＭシンボル上で測定される。このときにも、ＲＳＲＱのための基準点は、ＵＥのアンテナコネクタである必要があり、受信ダイバーシティが用いられる場合、報告されるＲＳＲＱ値は各々のダイバーシティのうちいずれか１つのＲＳＲＱより低くてはならない。
【００７０】
−  ＲＳＳＩ：受信器パルス整形フィルタ（Ｒｅｃｅｉｖｅｒ  Ｐｕｌｓｅ  Ｓｈａｐｉｎｇ  Ｆｉｌｔｅｒ）によって定義される帯域幅内で生成される雑音及び熱雑音を含む広帯域受信電力（ｒｅｃｅｉｖｅｄ  ｗｉｄｅ  ｂａｎｄ  ｐｏｗｅｒ）を意味する。このときにも、ＲＳＳＩのための基準点は、ＵＥのアンテナコネクタである必要があり、受信ダイバーシティが用いられる場合、報告されるＲＳＳＩ値は各々のダイバーシティのうちいずれか１つのＲＳＳＩより低くてはならない。
【００７１】
上述した定義に従って、ＬＴＥシステムで動作するＵＥは、周波数間測定（Ｉｎｔｒａ−ｆｒｅｑｕｅｎｃｙ  ｍｅａｓｕｒｅｍｅｎｔ）の場合には、ＳＩＢ３（ｓｙｓｔｅｍ  ｉｎｆｏｒｍａｔｉｏｎ  ｂｌｏｃｋ  ｔｙｐｅ  ３）から送信される許容された測定帯域幅（Ａｌｌｏｗｅｄ  ｍｅａｓｕｒｅｍｅｎｔ  ｂａｎｄｗｉｄｔｈ）に関するＩＥ（ｉｎｆｏｒｍａｔｉｏｎ  ｅｌｅｍｅｎｔ）によって、６、１５、２５、５０、７５、１００ＲＢ（ｒｅｓｏｕｒｃｅ  ｂｌｏｃｋ）のうち１つに対応する帯域幅でＲＳＲＰを測定するように許容される。また、周波数間測定の場合には、ＳＩＢ５から送信される許容された測定帯域幅によって、６、１５、２５、５０、７５、１００ＲＢ（ｒｅｓｏｕｒｃｅ  ｂｌｏｃｋ）のうち１つに対応する帯域幅でＲＳＲＰを測定するように許容される。仮に、ＩＥがない場合、基本的（Ｄｅｆａｕｌｔ）に全体の下りリンクシステムの周波数帯域でＲＳＲＰを測定することができる。このとき、ＵＥが許容された測定帯域幅を受信する場合、ＵＥは該当値を最大測定帯域幅（ｍａｘｉｍｕｍ  ｍｅａｓｕｒｅｍｅｎｔ  ｂａｎｄｗｉｄｔｈ）として、該当値内で自由にＲＳＲＰの値を測定することができる。
【００７２】
但し、サービングセル（Ｓｅｒｖｉｎｇ  Ｃｅｌｌ）がＷＢ−ＲＳＲＱで定義されるＩＥを送信して、許容された測定帯域幅を５０ＲＢ以上に設定する場合、ＵＥは、全体の許容された測定帯域幅に対するＲＳＲＰ値を算出する必要がある。一方、ＲＳＳＩの場合、ＲＳＳＩ帯域幅の定義に従い、ＵＥの受信器が有する周波数帯域でＲＳＳＩを測定する。
【００７３】
ＮＲ通信システムは、データレート、容量（ｃａｐａｃｉｔｙ）、遅延（ｌａｔｅｎｃｙ）、エネルギー消費及び費用面から、既存の４世代（４Ｇ）システムより良い性能を支援することが求められる。よって、ＮＲシステムは、帯域幅、スペクトル、エネルギー、シグナリング効率、及びビット当たりコスト（ｃｏｓｔ）の面で相当な進歩が必要である。
【００７４】
＜ＯＦＤＭニューマロロジー＞
【００７５】
新たなＲＡＴシステムは、ＯＦＤＭ送信方式又はこれと類似する送信方式を用いる。新たなＲＡＴシステムは、ＬＴＥのＯＦＤＭパラメータとは異なるＯＦＤＭパラメータに従ってもよい。また、新たなＲＡＴシステムは、従来のＬＴＥ／ＬＴＥ−Ａのニューマロロジーをそのまま従うものの、さらに大きいシステム帯域幅（例えば、１００ＭＨｚ）を有してもよい。また、１つのセルが複数のニューマロロジーを支援することもできる。即ち、互いに異なるニューマロロジーで動作するＵＥが１つのセル内に共存してもよい。
【００７６】
＜サブフレーム構造＞
【００７７】
３ＧＰＰ ＬＴＥ/ＬＴＥ−Ａシステムにおいて用いられる無線フレームは、１０ｍｓ（３０７２００Ｔｓ）の長さを有して、１０個の均等な大きさのサブフレーム（ｓｕｂｆｒａｍｅ, ＳＦ）からなる。一無線フレーム内の１０個のサブフレームにはそれぞれ番号が付与されてもよい。ここで、Ｔｓはサンプリング時間を示し、Ｔｓ＝１／（２０４８＊１５ｋＨｚ）で表される。それぞれのサブフレームの長さは１ｍｓであり、２個のスロットからなる。一無線フレーム内で２０個のスロットは０から１９まで順次にナンバリングされる。それぞれのスロット長は０．５ｍｓである。一サブフレームを送信するための時間は、送信時間間隔（ｔｒａｎｓｍｉｓｓｉｏｎ  ｔｉｍｅ  ｉｎｔｅｒｖａｌ，ＴＴＩ）で定義される。時間リソースは、無線フレーム番号（或いは無線フレームインデックスともいう）、サブフレーム番号（或いはサブフレームインデックスともいう）、スロット番号（或いはスロットインデックス）などで分けられる。ＴＴＩとは、データがスケジュールされる間隔を意味する。例えば、現在のＬＴＥ／ＬＴＥ−ＡシステムにおいてＵＬグラント又はＤＬグラントの送信器会は１ｍｓごとに存在し、１ｍｓより短時間でＵＬ／ＤＬグラント機会が数回存在することはない。よって、既存のＬＴＥ/ＬＴＥ−ＡシステムにおいてＴＴＩは１ｍｓである。
【００７８】
図４は、新たな無線接続技術（ｎｅｗ  ｒａｄｉｏ  ａｃｃｅｓｓ  ｔｅｃｈｎｏｌｏｇｙ，ＮＲ）において利用可能なスロット構造を例示する図である。
【００７９】
データ送信遅れを最小化するために、５世代の新ＲＡＴでは、制御チャネルとデータチャネルが時間分割多重化（ｔｉｍｅ  ｄｉｖｉｓｉｏｎ  ｍｕｌｔｉｐｌｅｘｉｎｇ，ＴＤＭ）されるスロット構造が考慮されている。
【００８０】
図４において、斜線領域はＤＣＩを運ぶＤＬ制御チャネル（例え、ＰＤＣＣＨ）の送信領域を示し、黒い領域は、ＵＣＩを運ぶＵＬ制御チャネル（例え、ＰＵＣＣＨ）の送信領域を示す。ここで、ＤＣＩはｇＮＢがＵＥに伝達する制御情報であり、ＤＣＩはＵＥが知るべきセル設定（ｃｏｎｆｉｇｕｒａｔｉｏｎ）に関する情報、ＤＬスケジューリングなどのＤＬ特定的（ｓｐｅｃｉｆｉｃ）情報、またＵＬグラントなどのようなＵＬ特定的情報などを含むことができる。また、ＵＣＩはＵＥがｇＮＢに伝達する制御情報であり、ＵＣＩはＤＬデータに対するＨＡＲＱ  ＡＣＫ／ＮＡＣＫ報告、ＤＬチャネル状態に対するＣＳＩ報告、またスケジューリング要請（ｓｃｈｅｄｕｌｉｎｇ ｒｅｑｕｅｓｔ, ＳＲ）などを含むことができる。
【００８１】
図４において、シンボルインデックス１からシンボルインデックス１２までのシンボル領域は、下りリンクデータを運ぶ物理チャネル（例え、ＰＤＳＣＨ）の送信に用いられてもよく、上りリンクデータを運ぶ物理チャネル（例え、ＰＵＳＣＨ）の送信に用いられてもよい。図２のスロット構造によれば、１つのスロット内でＤＬ送信とＵＬ送信とが順次行われ、ＤＬデータの送信／受信とＤＬデータに対するＵＬ ＡＣＫ/ＮＡＣＫの受信／送信が１つのスロット内で行われる。結果として、データ送信エラーが発生するとき、データの再送信までかかる時間を減らすことになり、これによって最終データ伝達の遅れを最小化することができる。
【００８２】
このようなスロット構造では、ｇＮＢとＵＥの送信モードから受信モードへの切換過程又は受信モードから送信モードへの切換過程のためのタイムギャップ（ｔｉｍｅ ｇａｐ）が必要である。このような送信モードと受信モードとの切換過程のためにスロット構造においてＤＬからＵＬへ切り換えられる時点の一部ＯＦＤＭシンボルがガード期間（ｇｕａｒｄ ｐｅｒｉｏｄ, ＧＰ）として設定（Ｃｏｎｆｉｇｕｒａｔｉｏｎ）される。
【００８３】
既存のＬＴＥ／ＬＴＥ−ＡシステムにおいてＤＬ制御チャネルは、データチャネルとＴＤＭされ、制御チャネルであるＰＤＣＣＨはシステムの全帯域に広がって送信される。しかし、新ＲＡＴでは、一システムの帯域幅が少なくとも略１００ＭＨｚに達することと予想されるため、制御チャネルを全帯域に広げて送信するには無理がある。ＵＥがデータの送信／受信のために、下りリンク制御チャネルを受信するために全帯域をモニタリングすることは、ＵＥのバッテリー消耗増大及び効率性阻害の可能性がある。よって、本発明では、ＤＬ制御チャネルがシステム帯域、即ち、チャネル帯域内の一部の周波数帯域でローカライズ（ｌｏｃａｌｉｚｅ）されて送信されてもよく、分散（ｄｉｓｔｒｉｂｕｔｅ）されて送信されてもよい。
【００８４】
ＮＲシステムにおいて基本送信単位（ｂａｓｉｃ ｔｒａｎｓｍｉｓｓｉｏｎ ｕｎｉｔ）はスロットである。スロット区間（ｄｕｒａｔｉｏｎ）は正規（ｎｏｒｍａｌ）循環前置（ｃｙｃｌｉｃ ｐｒｅｆｉｘ, ＣＰ）を有する１４個のシンボル、又は延長ＣＰを有する１２個のシンボルからなる。また、スロットは、使われた副搬送波間隔（Ｓｕｂｃａｒｒｉｅｒ  Ｓｐａｃｉｎｇ）の関数として時間でスケーリングされる。即ち、副搬送波間隔が大きくなると、スロットの長さは短くなる。例えば、スロット当たりシンボルの数が１４である場合、１０ｍｓのフレーム内のスロットの数が、１５ｋＨｚの副搬送波間隔に対しては１０個であれば、３０ｋＨｚの副搬送波間隔に対しては２０個、６０ｋＨｚの副搬送波間隔に対しては４０個になる。副搬送波間隔が大きくなると、ＯＦＤＭシンボルの長さも短くなる。スロット内のＯＦＤＭシンボルの数は、正規ＣＰと拡張ＣＰとで異なり、副搬送波間隔によっては異ならない。ＬＴＥ用の基本時間ユニットであるＴｓは、ＬＴＥの基本副搬送波間隔の１５ｋＨｚと最大ＦＦＴサイズの２０４８を考慮して、Ｔｓ＝１／（１５０００＊２０４８）秒と定義され、これは１５ｋＨｚの副搬送波間隔に対するサンプリング時間でもある。ＮＲシステムでは、１５ｋＨｚの副搬送波間隔の他に様々な副搬送波間隔が用いられ、副搬送波間隔と当該時間長さは反比例するため、１５ｋＨｚよりも大きい副搬送波間隔に対応する実際のサンプリング時間は、Ｔｓ＝１／（１５０００＊２０４８）秒よりも短い。例えば、副搬送波間隔の３０ｋＨｚ、６０ｋＨｚ、１２０ｋＨｚに対する実際のサンプリング時間はそれぞれ、１／（２＊１５０００＊２０４８）秒、１／（４＊１５０００＊２０４８）秒、１／（８＊１５０００＊２０４８）秒になる。
【００８５】
＜アナログビームフォーミング（ａｎａｌｏｇ  ｂｅａｍｆｏｒｍｉｎｇ）＞
【００８６】
近来、論議されている５世代移動通信システムは、広い周波数帯域を用いて、複数のユーザへの高い送信率を保持しながらデータを送信するために、高い超高周波帯域、即ち、６ＧＨｚ以上のミリメートル周波数帯域を用いる方案を考慮している。３ＧＰＰでは、これをＮＲと称しているが、本発明ではＮＲシステムと称する。しかし、ミリメートル周波数帯域は、高過ぎる周波数帯域を用いることによって、距離による信号の減殺が激しく示される周波数特性を有する。よって、少なくとも６ＧＨｚ以上の帯域を用いるＮＲシステムは、激しい伝播減殺特性を補償するために、信号送信を全方向ではなく特定方向へとエネルギーを集めて送信することで、激しい伝播減殺によるカバレッジ減少の問題を解決する狭ビーム（ｎａｒｒｏｗ ｂｅａｍ）送信方法を用いる。しかし、１つの狭ビームのみを用いてサービスする場合、１つの基地局がサービスできる範囲が狭くなるので、基地局は複数の狭ビームを集めて広帯域でサービスすることになる。
【００８７】
ミリメートル周波数帯域、即ち、ミリメートル波長（ｍｉｌｌｉｍｅｔｅｒ ｗａｖｅ, ｍｍＷ）帯域では、波長が短くなり、同一面積に複数のアンテナ要素（ｅｌｅｍｅｎｔ）を取り付けることができる。例えば、１ｃｍ程度の波長の３０ＧＨｚ帯域では、５ ｂｙ ５ｃｍのパネル（ｐａｎｅｌ）に０．５ラムダ（ｌａｍｄａ）（波長）間隔で２−次元（ｄｉｍｅｎｓｉｏｎ）配列の形態として全１００個のアンテナ要素を取り付けることができる。したがって、ｍｍＷでは、複数のアンテナ要素を用いて、ビームフォーミングの利得を高めて、カバレッジを増加させたり、処理量（ｔｈｒｏｕｇｈｐｕｔ）を高めることが考えられる。
【００８８】
ミリメートル周波数帯域で狭ビームを形成するための方法として、基地局やＵＥにおいて数多くのアンテナに適宜な位相差を用いて同一信号を送信することで、特定方向のみにおいてエネルギーを高くするビームフォーミング方式が主に考慮されている。このようなビームフォーミング方式には、デジタル基底帯域（ｂａｓｅｂａｎｄ）信号に位相差を形成するデジタルビームフォーミング、変調されたアナログ信号に時間遅れ（即ち、循環シフト）を用いて位相差を形成するアナログビームフォーミング、デジタルビームフォーミングとアナログビームフォーミングとを両方用いるハイブリッドビームフォーミングなどがある。各アンテナ要素で送信パワー及び位相調節ができるようにトランシーバユニット（ｔｒａｎｓｃｅｉｖｅｒ ｕｎｉｔ, ＴＸＲＵ）を有すれば、各周波数リソースに対して独立したビームフォーミングが可能となる。しかし、１００個余りのアンテナ要素の全てにＴＸＲＵを設けるには、コスト面において実効性が落ちる問題がある。即ち、ミリメートル周波数帯域は、激しい伝播減殺の特性を補償するために、数多くのアンテナを使用しなければならず、デジタルビームフォーミングはアンテナの数分だけＲＦコンポーネント（例えば、デジタルアナログコンバータ（ＤＡＣ）、ミキサー（ｍｉｘｅｒ）、電力増幅器（ｐｏｗｅｒ ａｍｐｌｉｆｉｅｒ）、線形増幅器（ｌｉｎｅａｒ ａｍｐｌｉｆｉｅｒ）など）が必要となるため、ミリメートル周波数帯域においてデジタルビームフォーミングを具現するためには、通信機器の値段が増加してしまう問題点がある。したがって、ミリメートル周波数帯域のように、多くのアンテナが必要な場合は、アナログビームフォーミング又はハイブリッドビームフォーミング方式が考慮される。アナログビームフォーミング方式は、１つのＴＸＲＵに複数のアンテナ要素をマッピングし、アナログ位相シフタ（ａｎａｌｏｇ ｐｈａｓｅ ｓｈｉｆｔｅｒ）でビーム（ｂｅａｍ）の方向を調節する。かかるアナログビームフォーミング方式は、全帯域において１つのビーム方向のみを形成することができるため、周波数選択的なビームフォーミング（ｂｅａｍｆｏｒｍｉｎｇ, ＢＦ）はできないというデメリットがある。ハイブリッドＢＦは、デジタルＢＦとアナログＢＦとの中間形態であって、Ｑ個のアンテナ要素よりも少ないＢ個のＴＸＲＵを有する方式である。ハイブリッドＢＦの場合、Ｂ個のＴＸＲＵとＱ個のアンテナ要素の連結方式によって差はあるが、同時に送信可能なビームの方向はＢ個以下に制限される。
【００８９】
図５は、ＴＸＲＵとアンテナ要素の接続方式の一例を示す図である。
【００９０】
図５（ａ）は、ＴＸＲＵがサブ−アレイ（ｓｕｂ−ａｒｒａｙ）に接続された方式を示している。この場合、アンテナ要素は１つのＴＸＲＵにのみ接続される。これとは異なり、図５（ｂ）は、ＴＸＲＵが全てのアンテナ要素に接続された方式を示している。この場合、アンテナ要素は全てのＴＸＲＵに接続される。図５において、Ｗはアナログ位相シフタにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−多である。
【００９１】
上述したように、デジタルビームフォーミングは、送信する又は受信されたデジタル基底帯域信号に対して信号処理を行うため、多重のビームを用いて同時に多方向に信号を送信又は受信することができるが、一方、アナログビームフォーミングは、送信する又は受信されたアナログ信号を変調した状態でビームフォーミングを行うため、１つのビームがカバーできる範囲を超える多方向に信号を同時に送信又は受信することができない。通常、基地局は広帯域送信又は多重アンテナ特性を用いて、同時に複数のユーザと通信を行うが、基地局がアナログ又はハイブリッドビームフォーミングを用いて、１つのビーム方向にアナログビームを形成する場合、アナログビームフォーミングの特性上、同じアナログビームの方向内に含まれるユーザとしか通信できない。後述する本発明に係るＲＡＣＨリソース割り当て及び基地局のリソース活用方案は、アナログビームフォーミング又はハイブリッドビームフォーミングの特性から生じる制約事項を反映した上で提案される。
【００９２】
＜ハイブリッドアナログビームフォーミング（ｈｙｂｒｉｄ  ａｎａｌｏｇ  ｂｅａｍｆｏｒｍｉｎｇ）＞
【００９３】
図６は、送受信器ユニット（ｔｒａｎｓｃｅｉｖｅｒ ｕｎｉｔ，ＴＸＲＵ）及び物理的アンテナの観点におけるハイブリッドビームフォーミングの構造を簡単に示した図である。
【００９４】
複数のアンテナが用いられる場合、デジタルビームフォーミングとアナログビームフォーミングとを組み合わせたハイブリッドビームフォーミング法が台頭している。このとき、アナログビームフォーミング（又は、ＲＦビームフォーミング）は、ＲＦユニットがプリコーディング（又は、コンバイニング）を行う動作を意味する。ハイブリッドビームフォーミングにおいて、基底帯域（ｂａｓｅｂａｎｄ）ユニットとＲＦユニットはそれぞれプリコーディング（又は、コンバイニング）を行い、これによって、ＲＦチェーン（ｃｈａｉｎ）の数とＤ／Ａ（又はＡ／Ｄ）コンバータの数を減らしながらもデジタルビームフォーミングに近づく性能が出せるというメリットがある。便宜のために、ハイブリッドビームフォーミングの構造は、Ｎ個のＴＸＲＵとＭ個の物理的アンテナとで表現されることができる。送信端から送信するＬ個のデータレイヤに対するデジタルビームフォーミングは、Ｎ−ｂｙ−Ｌ行列で表され、その後、変換されたＮ個のデジタル信号は、ＴＸＲＵを経てアナログ信号に変換された後、Ｍ−ｂｙ−Ｎ行列で表されるアナログビームフォーミングが適用される。図３において、デジタルビームの数はＬであり、アナログビームの数はＮである。さらに、ＮＲシステムでは、アナログビームフォーミングをシンボル単位に変更できるように基地局を設計し、特定の地域に位置するＵＥにさらに効率的なビームフォーミングを支援する方向が考慮されている。ひいては、Ｎ個のＴＸＲＵとＭ個のＲＦアンテナを１つのアンテナパネル（ｐａｎｅｌ）と定義するとき、ＮＲシステムでは、互いに独立したハイブリッドビームフォーミングが適用可能な複数のアンテナパネルを導入する方案まで考慮されている。このように、基地局が複数のアナログビームを活用する場合、各々のＵＥにおいて信号受信に有利なアナログビームが異なり得るため、少なくとも同期信号、システム情報、ページングなどについては、特定のスロット又はサブフレーム（ｓｕｂｆｒａｍｅ，ＳＦ）において、基地局が適用する複数のアナログビームを各シンボルごとに変更して、全てのＵＥに受信器会を与えるようにするビームスイーピング動作が考慮されている。
【００９５】
図７は、下りリンク送信過程において同期信号とシステム情報に対するビームスイーピング（Ｂｅａｍ  ｓｗｅｅｐｉｎｇ）動作を示す図である。図７において、Ｎｅｗ  ＲＡＴシステムのシステム情報が放送（Ｂｒｏａｄｃａｓｔｉｎｇ）される物理的リソース又は物理的チャネルをｘＰＢＣＨ（ｐｈｙｓｉｃａｌ  ｂｒｏａｄｃａｓｔ  ｃｈａｎｎｅｌ）と呼ぶ。このとき、１つのシンボルにおいて互いに異なるアンテナパネルに属するアナログビーム（Ａｎａｌｏｇ  ｂｅａｍ）が同時に送信されることができ、各々のアナログビーム（Ａｎａｌｏｇ  ｂｅａｍ）のチャネルを測定するために、図７のように、特定のアンテナパネルに対応する単一アナログビーム（Ａｎａｌｏｇ  ｂｅａｍ）のために送信される参照信号（Ｒｅｆｅｒｅｎｃｅ  ｓｉｇｎａｌ；ＲＳ）であるＢｅａｍ  ＲＳ（ＢＲＳ）を導入する方案が論議されている。このＢＲＳは、複数のアンテナポートに対して定義されることができ、ＢＲＳの各アンテナポートは、単一アナログビーム（Ａｎａｌｏｇ  ｂｅａｍ）に対応することができる。このとき、ＢＲＳとは異なり、同期信号（Ｓｙｎｃｈｒｏｎｉｚａｔｉｏｎ  ｓｉｇｎａｌ）又はｘＰＢＣＨは、任意のＵＥが良好に受信できるように、アナログビームグループ（Ａｎａｌｏｇ  ｂｅａｍ  ｇｒｏｕｐ）に含まれた全てのアナログビーム（Ａｎａｌｏｇ  ｂｅａｍ）のために送信されてもよい。
【００９６】
図８は、新たな無線接続技術（ｎｅｗ  ｒａｄｉｏ  ａｃｃｅｓｓ  ｔｅｃｈｎｏｌｏｇｙ，ＮＲ）システムのセルを例示する図である。
【００９７】
図８を参照すると、ＮＲシステムでは、従来のＬＴＥなどの無線通信システムに１つの基地局が１つのセルを形成していたこととは異なり、複数のＴＲＰが１つのセルを構成する方案が論議されている。複数のＴＲＰが１つのセルを構成する場合、ＵＥをサービスするＴＲＰが変更されても、絶えない通信が可能となり、ＵＥの移動性を管理することが容易であるというメリットがある。
【００９８】
ＬＴＥ／ＬＴＥ−Ａシステムにおいて、ＰＳＳ／ＳＳＳは全−方位（ｏｍｎｉ−ｄｉｒｅｃｔｉｏｎ）に送信されるのに対して、ｍｍＷａｖｅを適用するｇＮＢがビーム方向を全−方位に回しながらＰＳＳ／ＳＳＳ／ＰＢＣＨなどの信号をビームフォーミングして送信する方法が考慮されている。このように、ビーム方向を回しながら信号を送信／受信することをビームスイーピング（ｂｅａｍ ｓｗｅｅｐｉｎｇ）又はビームスキャニングという。本発明における「ビームスイーピング」は送信器側の行動であり、「ビームスキャニング」は受信器側の行動である。例えば、ｇＮＢが最大Ｎ個のビーム方向を持つことができると仮定すると、Ｎ個のビーム方向のそれぞれに対してＰＳＳ／ＳＳＳ／ＰＢＣＨなどの信号を送信する。即ち、ｇＮＢは、自分が持つことのできる又は支援しようとする方向をスイーピングしながら、それぞれの方向に対してＰＳＳ／ＳＳＳ／ＰＢＣＨなどの同期信号を送信する。又は、ｇＮＢがＮ個のビームを形成できる場合、いくつかのビームを束ねて１つのビームグループとして構成することができ、各ビームグループでＰＳＳ／ＳＳＳ／ＰＢＣＨが送信／受信されることができる。このとき、１つのビームグループは、１つ以上のビームを含む。同方向に送信されるＰＳＳ／ＳＳＳ／ＰＢＣＨなどの信号が１つのＳＳブロックと定義されてもよく、１つのセル内に複数のＳＳブロックが存在してもよい。複数のＳＳブロックが存在する場合、各々のＳＳブロックを区分するために、ＳＳブロックインデックスを使用してもよい。例えば、一システムにおいて１０個のビーム方向にＰＳＳ／ＳＳＳ／ＰＢＣＨが送信される場合、同方向へのＰＳＳ／ＳＳＳ／ＰＢＣＨが１つのＳＳブロックを構成することができ、当該システムでは、１０個のＳＳブロックが存在することと理解されてもよい。本発明において、ビームインデックスは、ＳＳブロックインデックスとして解釈されてもよい。
【００９９】
一方、ＮＲシステムは、ＬＴＥシステムとは異なり、共通参照信号（ｃｏｍｍｏｎ  ｒｅｆｅｒｅｎｃｅ  ｓｉｇｎａｌ；ＣＲＳ）を定義しない。よって、ＮＲシステムでは、隣接セル測定（ｎｅｉｇｈｂｏｒ  ｃｅｌｌ  ｍｅａｓｕｒｅｍｅｎｔ）のために、ＣＲＳの代わりに、基本的にＰＳＳ／ＳＳＳ／ＰＢＣＨで構成された同期信号ブロック（Ｓｙｎｃｈｒｏｎｉｚａｔｉｏｎ  Ｓｉｇｎａｌ  Ｂｌｏｃｋ；ＳＳＢ）と、さらにＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を用いて隣接セル測定（ｎｅｉｇｈｂｏｒ  ｃｅｌｌ  ｍｅａｓｕｒｅｍｅｎｔ）を行う。また、ＬＴＥでは同期信号を所定周期で送信していたが、ＮＲでは基地局の様々な運用方式を支援するために、様々なＳＳＢ送信周期を有するように設定することができる。
【０１００】
また、ＵＥは、ＳＳＢを用いてセルの存否及びＳＳＢ受信タイミングを取得して、取得した情報に基づいて、定められた時間にＳＳＢに対するＲＳＲＰを測定する。しかし、ＳＳＢの送信周期をＵＥが知らない場合、可能な全てのＳＳＢ送信周期に対してＲＳＲＰを測定して、その後、ＳＳＢの送信周期を予測したり、測定されたＲＳＲＰのうち測定値として使用するＲＳＲＰを選択したりするが、これはＵＥの電力消耗（ｐｏｗｅｒ  ｃｏｎｓｕｍｐｔｉｏｎ）を増加させるという問題点がある。
【０１０１】
よって、この問題点を解決するために、ＳＳＢの送信周期をＵＥに提供する必要があり、ＵＥはＳＳＢを受信して、セルを検出し、当該セルのタイミング情報を検出した後、当該セルのタイミング情報とＳＳＢの送信周期に基づいて、ＳＳＢが送信される時間にのみＲＳＲＰを測定することで、電力消耗（ｐｏｗｅｒ  ｃｏｎｓｕｍｐｔｉｏｎ）を減少させることができる。
【０１０２】
よって、測定（ｍｅａｓｕｒｅｍｅｎｔ）に関連するパラメータは、ＳＳＢの送信周期を含む必要がある。即ち、ＮＲシステムにおいてＵＥの移動性（ｍｏｂｉｌｉｔｙ）を支援するための隣接セル（ｎｅｉｇｈｂｏｒ  ｃｅｌｌ）のＲＳＲＰ測定は、ＵＥが設定する任意の時点に動作することができず、コール（ｃａｌｌ）設定ステップにおいて、基地局から隣接セル測定（ｎｅｉｇｈｂｏｒ  ｃｅｌｌ  ｍｅａｓｕｒｅｍｅｎｔ）のためのパラメータを受信する必要があり、このような隣接セル測定のためのパラメータには、ＳＳＢ送信周期を始めとするＳＳＢ設定に関するパラメータが含まれてもよい。
【０１０３】
＜広帯域要素搬送波（Ｃｏｍｐｏｎｅｎｔ  Ｃａｒｒｉｅｒ）における多重ＳＳＢ＞
【０１０４】
１．広帯域要素搬送波（Ｃｏｍｐｏｎｅｎｔ  Ｃａｒｒｉｅｒ）におけるＳＳＢの数
【０１０５】
初期接続及び移動性の支援のために、少なくとも１つのＳＳＢが要素搬送波（Ｃｏｍｐｏｎｅｎｔ  Ｃａｒｒｉｅｒ）に割り当てられ、ＳＳＢはチャネルラスタによって定義される選好周波数位置内に配置されなければならない。システム帯域幅がＵＥ最初帯域幅より大きい場合、広帯域要素搬送波に複数のＳＳＢが割り当てられ、この場合、初期接続のためにはＵＥ最初帯域幅内に１つのＳＳＢのみ位置しても十分である。即ち、必ずしもＵＥ最小帯域幅内に複数のＳＳＢが位置する必要はない。よって、要素搬送波内で送信できる最大ＳＳＢ数は、［システム帯域幅／周波数帯域で定義されるＵＥ最小帯域幅］と定義されることができる。しかし、この場合にも、要素搬送波内で割り当てられる最大ＳＳＢ数のみが定義されるだけで、実際に割り当てられるＳＳＢ数はｇＮｏｄｅＢによって自由に構成できる。
【０１０６】
一方、複数のＳＳＢが要素搬送波内で送信されても、このような複数のＳＳＢがＵＥにブロードキャストされる必要はなく、帯域幅部分（Ｂａｎｄｗｉｄｔｈ  Ｐａｒｔ；ＢＷＰ）におけるＳＳＢ周波数位置は連結設定を行うか、連結再構成を行う間に、ＵＥ特定にシグナリング（ＵＥ−Ｓｐｅｃｉｆｉｃ  Ｓｉｇｎａｌｉｎｇ）されてもよい。
【０１０７】
２．広帯域要素搬送波内の複数のＳＳＢを用いたＲＲＭ測定
【０１０８】
１つの要素搬送波内で１つ以上のＢＷＰがＵＥに割り当てられる場合、ＳＳＢを含む少なくとも１つのＢＷＰは、周波数再調整（ｒｅｔｕｎｉｎｇ）又は測定ギャップ設定（ｍｅａｓｕｒｅｍｅｎｔ  ｇａｐ  ｃｏｎｆｉｇｕｒａｔｉｏｎ）などによって、周波数又は測定ギャップが変更される場合でも、ＵＥの移動性を支援するために割り当てられなければならない。
【０１０９】
上述のように、ネットワークは広帯域を提供するにもかかわらず、上述した広い帯域幅を全部支援することができず、一部の帯域幅のみが支援可能なＵＥを支援するために、広帯域要素搬送波内で多数のＳＳＢを送信することができる。この場合、広い帯域幅が支援可能なＵＥは、複数のＳＳＢを検出することができ、検出されたＳＳＢを全て用いてＲＳＲＰを測定することができる。しかし、セルレベルでＵＥがソースセル（Ｓｏｕｒｃｅ  Ｃｅｌｌ）からターゲットセル（Ｔａｒｇｅｔ  Ｃｅｌｌ）へのハンドオーバーを行い、ＲＳＲＰを測定するためには、上述した複数のＳＳＢのうち、ただ１つのＳＳＢを用いることだけでも十分であり、かえって１つのＳＳＢを用いた方が電力消費及びＵＥ複雑性（Ｃｏｍｐｌｅｘｉｔｙ）の観点から有利である。
【０１１０】
但し、隣接セルの帯域幅がサービングセルよりも小さく、各隣接セルが互いに異なる周波数に位置する場合、ＵＥは異なる周波数において全てのＳＳＢのＲＳＲＰを測定する必要があり得る。しかし、ＲＲＭ測定のための複数のＳＳＢの位置がネットワークによって設定（Ｃｏｎｆｉｇｕｒａｔｉｏｎ）されても、ＵＥの測定性能（Ｍｅａｓｕｒｅｍｅｎｔ  Ｃａｐａｂｉｌｉｔｙ）は要素搬送波ごとに定義されるべきであり、ＵＥは予め定義された区間（ｄｕｒａｔｉｏｎ）の間に隣接セルごとに同一数のＲＳＲＰを測定することができる。
【０１１１】
３．ＳＳＢパラメータとＳＳＢの存否をＵＥに知らせる方法
【０１１２】
初期接続を行う間に、ＵＥはキャンプオン（ｃａｍｐ  ｏｎ）して、セルを探索（ｓｅａｒｃｈ）し、搬送周波数（Ｃａｒｒｉｅｒ  Ｆｒｅｑｕｅｎｃｙ）内の全てのセルに適用される移動性を支援するためのＳＳＢの情報を取得する必要がある。ここで、ＳＳＢの情報には、ＳＳＢの周期、実際に送信されたＳＳＢ（Ａｃｔｕａｌ  Ｔｒａｎｓｍｉｔｔｅｄ  Ｓｙｎｃｈｒｏｎｉｚａｔｉｏｎ  Ｓｉｇｎａｌ  Ｂｌｏｃｋ；ＡＴＳＳ）の数又はＳＳＢの時間位置が含まれてもよい。ＩＤＬＥモードのＵＥがセル選択／再選択の目的でＲＳＲＰを測定するために、該ＳＳＢの情報はＰＢＣＨ又はＲＭＳＩを介して放送されなければならない。また、ＳＳＢが送信される周波数位置は、コール（ｃａｌｌ）解除を完了した後、ＩＤＬＥモードに入るＵＥにシグナリングされなければならない。
【０１１３】
また、ＵＥが連結（Ｃｏｎｎｅｃｔｅｄ）モードへ進入して、要素搬送波（Ｃｏｍｐｏｎｅｎｔ  Ｃａｒｒｉｅｒ）内のＢＷＰが構成されるとき、ｇＮｏｄｅＢはＳＳＢの存在、ＳＳＢの周期、ＡＴＳＳに関する情報などのような、サービングセルのためのＳＳＢの情報を連結設定（Ｃｏｎｎｅｃｔｉｏｎ  Ｃｏｎｆｉｇｕｒａｔｉｏｎ）メッセージを介してＵＥに提供することができる。また、設定されたＢＷＰ内で移動性が支援される場合、隣接セルに対するＳＳＢの情報が連結構成メッセージに含まれてもよい。
【０１１４】
一方、上述のように、ｇＮｏｄｅＢによって広帯域要素搬送波（Ｃｏｍｐｏｎｅｎｔ  Ｃａｒｒｉｅｒ）内で送信されるＳＳＢの数（ＡＴＳＳの数）を自由に構成できるといっても、初期接続のための性能に問題がなければ、ＡＴＳＳの数を最小化することが有利である場合がある。よって、一部のＳＳＢは不要なシステムオーバヘッドを減らすために、特定の周波数帯域においてシステム情報を送信せず、周波数内の移動性測定のみのために用いられてもよい。この場合、ネットワークは、初期接続を行うＵＥに、ＰＢＣＨを介してシステム情報が送信されないことを知らせる必要がある。即ち、ネットワークはシステムオーバヘッドを減らすために、特定の周波数帯域においてＳＳＢのみを送信して、ＰＢＣＨコンテンツによるＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）を送信せず、このとき、ネットワークはＵＥに、ＲＭＳＩが送信されないことを知らせる。ここで、ＲＭＳＩは、ＳＩＢ１（Ｓｙｓｔｅｍ  Ｉｎｆｏｒｍａｔｉｏｎ  Ｂｌｏｃｋ  １）とも呼ばれる。
【０１１５】
しかし、ネットワークがシステム情報が送信されないことをＵＥに知らせることの他に、ＵＥに不要な動作を行わせないためのより良い方法を考慮する必要がある。このために、ＲＭＳＩが存在しないＳＳＢと、ＲＭＳＩが存在するＳＳＢとのＳＳＢを互いに異なるように構成するか、ＰＳＳ／ＳＳＳシーケンスを互いに異なるように構成するなどの方法があるが、最も簡単な方法として、ただＲＲＭ測定のためのＳＳＢは初期接続を行わない周波数に位置付けることができる。
【０１１６】
＜ＲＲＭ測定のための下りリンク参照信号（Ｒｅｆｅｒｅｎｃｅ  Ｓｉｇｎａｌ）＞
【０１１７】
１．ＩＤＬＥモードにおいて下りリンク測定のためのＳＳＳ及びＰＢＣＨ−ＤＭＲＳの使用
【０１１８】
ＩＤＬＥモードにおいて、ＳＳＳは下りリンクベースのＲＲＭ測定に用いられ、ＰＢＣＨ  ＤＭ−ＲＳをＲＲＭ測定にさらに使用できるか否かは未だ論議する必要がある。図９は、１５ＫＨｚ副搬送波間隔（Ｓｕｂｃａｒｒｉｅｒ  Ｓｐａｃｉｎｇ）において、２．１６ＭＨｚのＳＳＳ及び４．３２ＭＨｚのＰＢＣＨに基づいたＲＳＲＰの精度を示す。図９のように、２．１６ＭＨｚのＳＳＳはＲＲＭ測定に対して適宜なＲＳＲＰ精度を提供する。
【０１１９】
一方、ネットワークは、セルカバレッジ（Ｃｅｌｌ  Ｃｏｖｅｒａｇｅ）の拡張のために、ＳＳＳの送信電力を高めることができるため、ＲＲＭ測定の目的でＰＢＣＨ  ＤＭ−ＲＳを用いるためには、ＳＳＳに対するＰＢＣＨ  ＤＭ−ＲＳの電力オフセットをＵＥが知っている必要がある。しかし、ＳＳＳの電力ブーストが適用されるか否か、ＳＳＳに割り当てられる電力量などのような電力オフセットに関する細部事項は、セル環境に依存し、セルによっても異なるため、１つの電力オフセット値を同一周波数において全てのセルに適用できるときに限ってＰＢＣＨ  ＤＭ−ＲＳをＲＲＭ測定に用いることができ、そうではない場合には、ＳＳＳベースの測定のみを前提として性能要求事項を決定する。
【０１２０】
しかし、より高いＲＲＭ測定の最適化のために、ＰＢＣＨ  ＤＭ−ＲＳの電力オフセットは、連結（Ｃｏｎｎｅｃｔｅｄ）モードにおいて周波数帯域によって設定される基本値（ｄｅｆａｕｌｔ  ｖａｌｕｅ）に適用されるか、測定設定のセルリスト（Ｃｅｌｌ  Ｌｉｓｔ）によってセルごとに設定（Ｃｏｎｆｉｇｕｒａｔｉｏｎ）される。例えば、ＰＢＣＨ  ＤＭ−ＲＳの電力オフセットはセルリストに含まれたセルごとにそれぞれ適用されてもよく、周波数帯域によって設定される基本値は、セルリスト（Ｃｅｌｌ  Ｌｉｓｔ）に含まれない他のセルに適用されてもよい。
【０１２１】
２．ＩＣＩＣ（Ｉｎｔｅｒ−Ｃｅｌｌ／Ｂｅａｍ  Ｉｎｔｅｒｆｅｒｅｎｃｅ  Ｃｏｏｒｄｉｎａｔｉｏｎ）のための隣接セル測定
【０１２２】
一方、連結（Ｃｏｎｎｅｃｔｅｄ）モードにおける隣接セル（ｎｅｉｇｈｂｏｒ  ｃｅｌｌ）測定は、セル間の干渉調整のために行われる。即ち、ＵＥが各々のセル又はビームごとに干渉を測定し、特定のセル又はビームが干渉に影響を与えるということを基地局に報告するために、隣接セル測定を用いることができる。各々のビームの干渉測定に基づいて、ＵＥはセル当たり干渉レベルを導出することができる。ここで、ビームレベル干渉測定のために、連結（Ｃｏｎｎｅｃｔｅｄ）モードにおいてセル当たりＳＳＢ−ＲＳＲＰに基づいてビームレベルセル干渉測定を行うか、又はＣＳＩ−ＲＳ−ＲＳＲＰに基づいてビームレベルセル干渉測定を行うかを決定する必要がある。
【０１２３】
＜各ビームのＲＳＲＰ値に基づくセル品質算出（ｄｅｒｉｖａｔｉｏｎ）＞
【０１２４】
ＵＥのセル選択／再選択を支援するためには、セル品質を算出する方法を定義する必要がある。多重ビーム環境においてセル品質を示す単一ＲＳＲＰ値がないため、ＵＥは所定の基準に基づいてセル品質を算出する。もちろん、１つのＳＳＢを送信するセルにおいて、ＳＳＢ−ＲＳＲＰはセル品質を示すことができる。しかし、多数のＳＳブロックを送信するセルに対して、ＵＥはセル品質を算出するために、多数のＳＳＢのＲＳＲＰを用いる必要があり、これと同様に、多数のＣＳＩ−ＲＳが存在する状況で、ＵＥが移動性を支援するためのＣＳＩ−ＲＳを構成する場合、ＵＥは連結（Ｃｏｎｎｅｃｔｉｏｎ）モードにおいて多数のＣＳＩ−ＲＳ  ＲＳＲＰを用いてセル品質を算出する必要がある。
【０１２５】
よって、以下、本発明では、各ビームのＲＳＲＰ値に基づいてセル品質を算出する方法を提案する。セル品質を算出するために、各々の測定インスタンスで受信値が最良の下りリンク参照信号の時間平均を以下の[数１]より算出することができる。ここでの平均は、与えられたインスタンスにおいて多重ＳＳＢ又は多重ＣＳＩ−ＲＳなどのような空間ドメインに対する平均を意味してはいない。ＵＥは各々の測定インスタンスにおいて最上のＳＳＢ−ＲＳＲＰ又はＣＳＩ−ＲＳ  ＲＳＲＰを選択して、平均時間ウィンドーの間に最上のＳＳＢ  ＲＳＲＰ又はＣＳＩ−ＲＳ  ＲＳＲＰ値の平均を算出する。換言すれば、ＵＥが最上のサービングセルを決定できるように、多重ＳＳＢ−ＲＳＲＰ又はＣＳＩ−ＲＳ  ＲＳＲＰのうち最上のエンベロープ（ｅｎｖｅｌｏｐｅ）に従う値をセル品質として算出することを提案する。
【０１２６】
【数１】
0006816311.tif 000002
【０１２７】
（ここで、
0006816311.tif 000003
は、セル品質値、
0006816311.tif 000004
は、ＳＳＢ−ＲＳＲＰ又はＣＳＩ−ＲＳ  ＲＳＲＰ、及びＴは、測定のための平均ウィンドー値）
【０１２８】
＜ＳＳＢのための複数の送信周期、測定ウィンドー及び測定機会（ｏｐｐｏｒｔｕｎｉｔｙ）＞
【０１２９】
以下、搬送波内においてＳＳＢの送信周期を複数設定できるか否か、及びその必要性について説明する。
【０１３０】
第一、サービングセルのＳＳＢ送信周期と隣接セルのＳＳＢ送信周期とが互いに異なることが考えられる。即ち、低い移動性環境及び効率的なリソース使用のために、ＳＳＢのスパース送信（ｓｐａｒｓｅ  ｔｒａｎｓｍｉｓｓｉｏｎ）が適用されても、サービングセルのＳＳＢは、時間及び周波数追跡（ｔｒａｃｋｉｎｇ）、無線リンクモニタリング、ビーム管理（ｍａｎａｇｅｍｅｎｔ）及びビームリカバリ（ｒｅｃｏｖｅｒｙ）などのような様々な目的のために使用されることができ、サービングセルのＳＳＢ送信周期は、隣接セル（ｎｅｉｇｈｂｏｒ  ｃｅｌｌ）のＳＳＢの送信周期には関係なく短く維持されなければ、ＵＥがセル内においてより安定的に動作することができない。
【０１３１】
第ニ、同一の搬送波を有するＨｅｔＮｅｔ環境は、マクロセルが移動性に焦点を合わせて短い周期でＳＳＢを送信することができ、スモールセルは高いシステム処理量に焦点を合わせて長い周期でＳＳＢを送信することができる。
【０１３２】
この場合、複数のＳＳＢ送信周期は、セル検出（ｄｅｔｅｃｔｉｏｎ）及び移動性測定という２つの側面から考慮できる。先ず、セル検出性能の側面において、ＵＥはＳＳＳのｏｎｅ−ｓｈｏｔ  ｄｅｔｅｃｔｉｏｎに関係なく、移動性性能の向上のためのＰＳＳ相関（Ｃｏｒｒｅｌａｔｉｏｎ）メトリック又はＳＳＳ相関メトリックの累積を試みることができる。しかし、この場合、大きいＵＥ複雑性によって、複数のＳＳＢ送信周期を設定することが難しいこともあり、単一ＳＳＢ送信周期設定の場合と、複数のＳＳＢ送信周期設定の場合との性能差が観察されることもあり得る。
【０１３３】
次に、ＲＲＭ測定動作について説明する。一般に、ＵＥは、検出されたセルに対する参照信号のＲＳＲＰを測定して、ＲＳＲＰ値はＬ１及び／又はＬ３でフィルタリングされる。フィルタリング動作中に、一部セルのＲＳＲＰが非常に低い値を有したり、非常に低い品質により測定できない場合が発生する可能性がある。この場合、ＵＥは、当該セルに対する測定を続くかどうかを決定する必要がある。
【０１３４】
しかし、複数のＳＳＢ送信周期を設定する場合、ＵＥは、これによる高い複雑性にもかかわらず、不正確な測定結果を提供するか、各セルのＳＳＢ送信周期を検出しようと試みることがある。これを解決するために、ネットワークは、測定設定のセルリスト（Ｃｅｌｌ  Ｌｉｓｔ）に含まれたセルごとにＳＳＢ送信周期を提供することができる。また、周波数によるＳＳＢの基本送信周期がセルリストにないセルのためにネットワークによって提供されてもよい。結局、ＮＲシステムでは、ＵＥの複雑性を緩和するために、複数のＳＳＢ送信周期を設定することができる。
【０１３５】
以下、上述した内容をより具体的に説明すると、１つの周波数帯域において基地局は様々な形態で配置されることができ、各々の基地局は様々な形態のシステムが設定（Ｃｏｎｆｉｇｕｒａｔｉｏｎ）されることができる。例えば、ＵＥが接続した基地局と、ＵＥが接続されない基地局は、異なる設定（Ｃｏｎｆｉｇｕｒａｔｉｏｎ）によってシステムを最適化することができる。
【０１３６】
具体的に、ＵＥが接続した基地局は、ＳＳＢ（Ｓｙｎｃｈｒｏｎｉｚａｔｉｏｎ  Ｓｉｇｎａｌ  Ｂｌｏｃｋ）の送信率を高めて、ＵＥが安定的に動作できるようにして、ＵＥが接続しない基地局は、ＳＳＢの送信率を下げたりＳＳＢを送信しないことで、基地局の電力消耗（ｐｏｗｅｒ  ｃｏｎｓｕｍｐｔｉｏｎ）を減らすことができる。
【０１３７】
また、ＵＥの高い移動速度を支援する基地局と、ＵＥの低い移動速度を支援する基地局とが１つの周波数帯域に共存する場合が考えられる。即ち、高い移動速度を支援する場合には、ＳＳＢの送信周期を短くして、低い移動速度を支援する場合には、ＳＳＢの送信周期を長くすることで、システム周波数効率を極大化することができる。
【０１３８】
このように、複数のＳＳＢ送信周期（ｐｅｒｉｏｄｉｃｉｔｙ）を支援することで、基地局はセル運用のための多様性を確保することができ、必要に応じて、基地局の周波数効率を高めたり、電力消耗を減らせるというメリットがある。これに対して、ＵＥの観点から複数のＳＳＢ周期（ｐｅｒｉｏｄｉｃｉｔｙ）を支援するシステムに接続する場合、別に情報がない場合、以下のような動作を行う。
【０１３９】
先ず、セル検索を行う過程において、ＵＥはＰＳＳから送信された信号がいずれの時点に受信されたものであるかに関する情報を取得して、受信された時点に関する時間情報を用いて、ＳＳＳが受信されることと予想される時点を求め、この予想時点にＳＳＳシーケンスとの相関（Ｃｏｒｒｅｌａｔｉｏｎ）値によってセルの存否を確認する。
【０１４０】
その後、ＵＥは、検出されたセルに対してＳＳＢ送信周期（ｐｅｒｉｏｄｉｃｉｔｙ）に応じて、当該ＳＳＢのＳＳＳ又はＰＢＣＨを用いてＲＳＲＰを測定する。しかし、複数のＳＳＢ送信周期が設定された場合、ＵＥは複数のＳＳＢ送信周期のうち、いずれか１つのＳＳＢ送信周期を基準としてＲＳＲＰ値を測定することになる。
【０１４１】
ところが、全てのセルに対して短いＳＳＢ送信周期（ｐｅｒｉｏｄｉｃｉｔｙ）を仮定してＲＳＲＰを測定する場合、測定された値のうちＲＳＲＰが非常に低い、又は信号がないと検出された理由が、通信品質が良くないためであるか、実際のＳＳＢの送信周期が長いためであるかをＵＥが自分で判断しなければならないという問題点が生じる。一方、全てのセルに対して長いＳＳＢ送信周期（ｐｅｒｉｏｄｉｃｉｔｙ）を仮定してＲＳＲＰを測定する場合、ＲＳＲＰが非常に低い、又は信号がないと検出されるセルに対して、セルの通信品質が非常に低いと判断するしかない。
【０１４２】
また、短いＳＳＢ送信周期を仮定してＲＳＲＰを測定する場合には、セルの実際のＳＳＢ送信周期をブラインド検出（Ｂｌｉｎｄ  Ｄｅｔｅｃｔｉｏｎ）することから、ＲＳＲＰ品質低下の原因を判断するために、受信器の高い複雑度を求めるか、ＳＳＢ信号検出の信頼度を低下させることがあり、全てのセルに対して短いＳＳＢ送信周期でＲＳＲＰを測定するため、高い電力消耗を誘発することがある。一方、長いＳＳＢ  送信周期を仮定してＲＳＲＰを測定する場合には、ＳＳＢ送信周期（ｐｅｒｉｏｄｉｃｉｔｙ）が短いセルに対しても、長いＳＳＢ送信周期を仮定してＲＳＲＰを測定し、これによってシステムが志向する移動性性能（ｍｏｂｉｌｉｔｙ  ｐｅｒｆｏｒｍａｎｃｅ）を低下させる可能性がある。即ち、複数のＳＳＢ送信周期（ｐｅｒｉｏｄｉｃｉｔｙ）を支援するシステムの場合、システムが設定したＳＳＢ送信周期（ｐｅｒｉｏｄｉｃｉｔｙ）をＵＥに知らせても、システムに接続したＵＥが電力消耗（ｐｏｗｅｒ  ｃｏｎｓｕｍｐｔｉｏｎ）を減らせないか、又は受信器の複雑度が大きく増加するしかない。
【０１４３】
よって、本発明では、複数のＳＳＢ送信周期（ｐｅｒｉｏｄｉｃｉｔｙ）を支援するシステムの場合、セルごとにＳＳＢ送信周期（ｐｅｒｉｏｄｉｃｉｔｙ）を指定する方法を提案する。
【０１４４】
即ち、基地局は、初期接続又はＩＤＬＥモードのセルの選択／再選択（ｃｅｌｌ  ｓｅｌｅｃｔｉｏｎ／ｒｅ−ｓｅｌｅｃｔｉｏｎ）ステップにおいて、システム情報（ｓｙｓｔｅｍ  ｉｎｆｏｒｍａｔｉｏｎ）によってターゲットセル周辺の主要なセルに対するリストをＵＥに提供したり、コール設定（ｃａｌｌ  ｃｏｎｆｉｇｕｒａｔｉｏｎ）ステップにおいて、測定設定（ｍｅａｓｕｒｅｍｅｎｔ  ｃｏｎｆｉｇｕｒａｔｉｏｎ）メッセージによってターゲットセル周辺の主要なセルに対するリストをＵＥに提供する。
【０１４５】
このとき、セルリストを提供するステップにおいて、各セルごとにＳＳＢ送信周期（ｐｅｒｉｏｄｉｃｉｔｙ）に関する情報を共に伝達してもよい。ＵＥは各セルのＳＳＢ送信周期情報を用いて、セルが検出された後、各セルに対するＲＳＲＰを測定するステップにおいて、該当セルのＳＳＢが送信される時点にのみＲＳＲＰを測定する。また、測定されたＲＳＲＰ情報をフィルタリングするか、又は測定された情報をそのまま上位層（ｈｉｇｈｅｒ  ｌａｙｅｒ）に報告して、ＲＲＭ測定（ｍｅａｓｕｒｅｍｅｎｔ）過程を行うことができる。この過程によって、ＵＥの不要な電力消耗を防止することができ、ＵＥの複雑度を減らすことができる。
【０１４６】
しかし、基地局が送信するセルリストが周辺の全てのセルを含むには、セルリストのメッセージサイズが大きくなり過ぎる可能性がある。また、セルを運用するステップにおいて、意図せずにセルリストに含まれない、即ち、ターゲットセルの周辺に存在しないセルのＳＳＢ信号が検出され、ＳＳＢの信号が最良の受信品質で測定されることがある。
【０１４７】
よって、ＵＥが検出したセルのうち一部のセルは、基地局が送信するセルリストに含まれない場合が発生することがあり、このようなセルが多い場合、上述した問題点がまた発生する可能性がある。即ち、セルリストがいつでも完璧であるわけではないため、そのために、セルリストに含まれないセルに対して適用する基本（ｄｅｆａｕｌｔ）ＳＳＢ送信周期を定義することを提案する。基本（ｄｅｆａｕｌｔ）ＳＳＢ送信周期は、セルごとに割り当てられるＳＳＢ送信周期（ｐｅｒｉｏｄｉｃｉｔｙ）のうち最も長いＳＳＢ送信周期（ｐｅｒｉｏｄｉｃｉｔｙ）又は最も短いＳＳＢ送信周期（ｐｅｒｉｏｄｉｃｉｔｙ）で決定することができ、これは標準文書で定義されることができる。
【０１４８】
最も長いＳＳＢ送信周期を基本（ｄｅｆａｕｌｔ）ＳＳＢ送信周期と決定する場合、ＲＳＲＰが安定的に測定されるため、ＲＳＲＰの値が高い値と低い値とに繰り返して測定されるピンポン（ｐｉｎｇ−ｐｏｎｇ）現象が発生する恐れは少ない。しかし、検出されたセルが高い移動速度を支援するセルである場合、高い移動性（ｈｉｇｈ  ｍｏｂｉｌｉｔｙ）に対する性能（ｐｅｒｆｏｒｍａｎｃｅ）が低下することがある。一方、最も短いＳＳＢ送信周期を基本（ｄｅｆａｕｌｔ）ＳＳＢ送信周期と決定する場合、高い移動速度を支援するセルに対する高い移動性（ｈｉｇｈ  ｍｏｂｉｌｉｔｙ）に対する性能（ｐｅｒｆｏｒｍａｎｃｅ）は確保できるものの、長いＳＳＢ送信周期でＳＳＢを送信するセルのＲＳＲＰに対するピンポン（ｐｉｎｇ−ｐｏｎｇ）現象が発生する可能性があるため、該当セルに対して安定的なハンドオーバー（ｈａｎｄｏｖｅｒ）を行うことができない。
【０１４９】
よって、システムが安定的に確保しようとする環境に応じて、基地局が各セルのＳＳＢ送信周期（ｐｅｒｉｏｄｉｃｉｔｙ）を伝達するとき、基本（ｄｅｆａｕｌｔ）ＳＳＢ送信周期（ｐｅｒｉｏｄｉｃｉｔｙ）を直接に設定してもよい。
【０１５０】
一方、上述のように、ＳＳＢ送信周期（ｐｅｒｉｏｄｉｃｉｔｙ）を直接に設定することと同様に、さらに、隣接セル測定（ｎｅｉｇｈｂｏｒ  ｃｅｌｌ  ｍｅａｓｕｒｅｍｅｎｔ）による電力消耗を減らすための実施例が考えられる。即ち、同期ネットワーク（Ｓｙｎｃｈｒｏｎｏｕｓ  ｎｅｔｗｏｒｋ）又は一定区間（ｄｕｒａｔｉｏｎ）内の全てのセルのＳＳＢ送信が保障されるシステムの場合、ＳＳＢ送信周期（ｐｅｒｉｏｄｉｃｉｔｙ）と共に測定区間（ｍｅａｓｕｒｅｍｅｎｔ  ｄｕｒａｔｉｏｎ）及びタイミングオフセット（ｔｉｍｉｎｇ  ｏｆｆｓｅｔ）を知らせてもよい。
【０１５１】
このとき、タイミングオフセット（ｔｉｍｉｎｇ  ｏｆｆｓｅｔ）は、ＳＳＢ送信周期（ｐｅｒｉｏｄｉｃｉｔｙ）が与えられた場合、システム時間（ｓｙｓｔｅｍ  ｔｉｍｅ）に対して測定区間（ｍｅａｓｕｒｅｍｅｎｔ  ｄｕｒａｔｉｏｎ）が存在する位置を知らせてもよい。
【０１５２】
ＳＳＢ送信周期、測定区間（ｄｕｒａｔｉｏｎ）及びタイミングオフセットに応じて決定されたＳＳＢ測定時間長さをＳＳＢ測定ウィンドー（ｍｅａｓｕｒｅｍｅｎｔ  ｗｉｎｄｏｗ）と定義することができ、ＵＥは、ＳＳＢ測定ウィンドー（ｍｅａｓｕｒｅｍｅｎｔ  ｗｉｎｄｏｗ）内でのみセル検出及びＲＳＲＰ測定（ｍｅａｓｕｒｅｍｅｎｔ）を行う。
【０１５３】
一方、ＳＳＢ測定ウィンドー決定のためのタイミングオフセット及び測定区間は、それぞれ１つの値のみ指定されることができ、この場合、セルリストに含まれたセルと、セルリストに含まれないセルに同一のタイミングオフセット値及び測定区間を適用して、ＳＳＢ測定のためのＳＳＢ測定ウィンドーを決定することができる。
【０１５４】
即ち、各々のセルごとにＳＳＢ送信周期の設定が異なるため、タイミングオフセット値及び測定区間が同一であっても、各々のセルごとに互いに異なるＳＳＢ測定ウィンドーが算出され、ＵＥはそれぞれ算出されたＳＳＢ測定ウィンドーに応じて、各々のセルごとにＳＳＢ測定を行うことができる。
【０１５５】
また、このタイミングオフセット及び測定区間に関する情報は、セルリストに含まれたセルのためのＳＳＢ送信周期に関する情報と共に指示されるか、又は、セルリストに含まれないセルのための基本ＳＳＢ送信周期に関する情報と共に指示されることができる。
【０１５６】
上述の内容に基づいて、図１０を説明すると、ＵＥはＳＳＢを用いたＲＳＲＰ測定のために、基地局からターゲットセルの周辺にある主要な隣接セルのリストであるセルリスト及びこのセルリストに含まれた隣接セルのための第１のＳＳＢ送信周期に関する情報を受信する（Ｓ１００１）。また、セルリスト及び第１のＳＳＢ送信周期に関する情報を受信した後、又は受信と同時に、セルリストに含まれないセルのための第２のＳＳＢ送信周期（即ち、基本ＳＳＢ送信周期）、測定区間及びタイミングオフセット情報を受信する（Ｓ１００３）。このとき、測定区間及びタイミングオフセット情報は、セルリスト及び第１のＳＳＢ送信周期に関する情報と共に伝達されてもよい。
【０１５７】
その後、ＵＥは第１のＳＳＢ送信周期、第２のＳＳＢ送信周期、測定区間及びタイミングオフセットに基づいて、各々のセルごとにＳＳＢのＲＳＲＰを測定するためのＳＳＢ測定ウィンドーを設定して（Ｓ１００５）、設定された各々のセルのＳＳＢ測定ウィンドーに基づいて、各々のセルに対するＳＳＢ測定を行う（Ｓ１００７）。図１０による実施例は、セルリストに含まれたセルのためのＳＳＢ測定ウィンドー及びセルリストに含まれないセルのためのＳＳＢ測定ウィンドーがいずれも同一の測定区間及びタイミングオフセットに基づいて設定されることを仮定して説明したが、セルリストに含まれたセル及びセルリストに含まれないセルのための測定区間及びタイミングオフセットは互いに異なってもよい。
【０１５８】
また、複数のＳＳＢ送信周期（ｐｅｒｉｏｄｉｃｉｔｙ）を支援するシステムの場合、ＳＳＢ測定ウィンドーをシステム全体に対して定義して、全体時間上のＳＳＢ測定ウィンドーセット（ｍｅａｓｕｒｅｍｅｎｔ  ｗｉｎｄｏｗ  ｓｅｔ）のうち、各々のセルがＲＳＲＰを測定するために使用するＳＳＢ測定ウィンドーサブセット（ｍｅａｓｕｒｅｍｅｎｔ  ｗｉｎｄｏｗ  ｓｕｂ−ｓｅｔ）を指定することもできる。換言すれば、複数のＳＳＢ送信周期を用いて複数のＳＳＢ測定ウィンドーを決定して、複数のＳＳＢ送信周期を用いて決定した複数のＳＳＢ測定ウィンドーをＳＳＢ測定ウィンドーセット（ｍｅａｓｕｒｅｍｅｎｔ  ｗｉｎｄｏｗ  ｓｅｔ）と定義する。その後、ＳＳＢ測定ウィンドーセット内に含まれた複数のＳＳＢ測定ウィンドーを１つ以上のＳＳＢ測定ウィンドーサブセット（ｍｅａｓｕｒｅｍｅｎｔ  ｗｉｎｄｏｗ  ｓｕｂ−ｓｅｔ）に区分して、各々のＳＳＢ測定ウィンドーサブセットを各セルごとに指定して、各セルは自分に設定されたＳＳＢ測定ウィンドーサブセット内でＲＳＲＰを測定することができる。
【０１５９】
例えば、１０個のＳＳＢ測定ウィンドーが１つのＳＳＢ測定ウィンドーセットと定義される場合、そのうち１番目のセルは、１、５、９番目のＳＳＢ測定ウィンドーからなるＳＳＢ測定ウィンドーサブセット内でＲＳＲＰを測定するように指定して、２番目のセルは、２、６、１０番目のＳＳＢ測定ウィンドーからなるＳＳＢ測定ウィンドーサブセット内でＲＳＲＰを測定するように指定することができる。この場合、上述のように、基本（ｄｅｆａｕｌｔ）ＳＳＢ測定ウィンドーサブセットも共に指定すると、セルリストに含まれないセルに対してもＳＳＢ測定ウィンドーサブセットを用いて、ＲＳＲＰを測定することができる。
【０１６０】
一方、ＳＳＢ測定ウィンドーセット（ｍｅａｓｕｒｅｍｅｎｔ  ｗｉｎｄｏｗ  ｓｅｔ）に含まれた複数のＳＳＢ測定ウィンドーを決定するとき、上述のように、同一の測定区間（ｍｅａｓｕｒｅｍｅｎｔ  ｄｕｒａｔｉｏｎ）及びオフセット（ｏｆｆｓｅｔ）を用いることができる。
【０１６１】
一方、上述した実施例は、ＳＳＢではない他の参照信号（ｒｅｆｅｒｅｎｃｅ  ｓｉｇｎａｌ）を用いたＲＲＭ測定にも適用することができる。例えば、上述した実施例は、ＣＳＩ−ＲＳを用いたＲＲＭ測定にも適用することができる。
【０１６２】
＜送信可能なＳＳＢのうち、測定のためのＳＳＢのセット又は優先順位に基づいたＳＳＢ測定＞
【０１６３】
ＮＲシステムは、１つのセルが高いビーム利得を形成する複数のビームを用いて信号を送信することで、高い周波数帯域においてカバレッジを大きくしたり、同一の位置において高い処理量（ｔｈｒｏｕｇｈｐｕｔ）を得ることができる。
【０１６４】
このように、複数のビームを用いてシステムを運用する環境において、ＳＳＢもカバレッジの拡大のために、複数のビーム方向に時分割して送信した方が好ましい。一方、特定のセルに接続したＵＥは、通信システムの移動性を支援するために、隣接セルに対する受信パワーレベルを測定する必要があり、ＮＲシステムでは、受信パワー測定のための基本信号としてＳＳＢを用いる。即ち、ＵＥはＳＳＢを用いてセルの存在を知り、別の指示がない場合、検出されたセルに対して標準で定義した送信可能な全ての位置、即ち、候補ＳＳＢ位置でＳＳＢに対する受信パワーを測定して、このうち最も高い受信パワーを有するＳＳＢのＲＳＲＰを用いて、該当セルのＲＳＲＰと定義する。
【０１６５】
例えば、６ＧＨｚ以上の帯域では、最大６４個のＳＳＢを送信することができ、６ＧＨｚ以上の帯域で動作するＵＥは、１つのセルを検出した後、該当セルのＡＴＳＳ数に関係なく、最大６４個の候補ＳＳＢ位置で受信パワーを測定することで、該当セルのＲＳＲＰを算出して、場合によってこれを基地局に報告する。
【０１６６】
ところが、移動性を支援するためには、隣接セルのＲＳＲＰも測定しなければならず、よって、実際に送信されないＳＳＢに対しても受信パワーを測定する過程を行うことがある。即ち、ＵＥが不要な動作を行うことが発生する可能性があり、これは、ＵＥの電力消耗を上昇させるだけではなく、数多いＳＳＢのＲＳＲＰを測定するため、ＵＥの複雑度を高めるという問題点がある。この問題点を解決するために、ＮＲシステムでは、基地局がＵＥにＡＴＳＳの数又はＡＴＳＳの位置に関する情報をさらに伝達する必要がある。即ち、隣接セル測定（ｎｅｉｇｈｂｏｒ  ｃｅｌｌ  ｍｅａｓｕｒｅｍｅｎｔ）動作過程において、ＵＥは隣接したセルが複数の送信可能なＳＳＢ（即ち、候補ＳＳＢ）のうち、実際にいずれのＳＳＢがＡＴＳＳに送信されるかに関する情報を受信して、該当ＡＴＳＳに限ってＲＳＲＰを測定することで、ＵＥの電力消耗（ｐｏｗｅｒ  ｃｏｎｓｕｍｐｔｉｏｎ）を減少させることができる。
【０１６７】
上述のように、ＵＥの複雑度及び電力消耗を減らすために、送信可能なＳＳＢのうち、実際に送信されるＡＴＳＳに対するインデックスをＵＥに知らせる必要がある。ところが、ＮＲシステムでは、１つのセルが最大６４個のＳＳＢを送信することが可能であり、最大６４個の候補ＳＳＢのうちいずれのＳＳＢをＡＴＳＳとして使用するかは、各セルごとに異なるように設定してもよい。よって、全てのセルに対するＡＴＳＳ情報を知らせるためには、セルごとに最大６４ビットのビットマップを用いて、これは大きいシグナリングオーバヘッドを引き起こす。よって、本発明では、隣接セルの受信パワーレベルを測定する過程で必要なＵＥの電力消耗を減らし、リソースを効率的に使用するため、セルのＡＴＳＳ送信に関する情報伝達方法を説明する。
【０１６８】
基本的に、サービングセルに対してはＳＳＢが送信されるリソース（ｒｅｓｏｕｒｃｅ  ｅｌｅｍｅｎｔ，ＲＥ）においてページングメッセージ（Ｐａｇｉｎｇ  ｍｅｓｓａｇｅ）、ＰＤＳＣＨなどのような他のチャネルを送信することができないが、ＳＳＢの送信が可能であるものの実際にＳＳＢが送信されないリソース、即ち、ＡＴＳＳが送信されないリソースでは、周波数効率を高めるために、他のチャネルの送信を許容してもよい。
【０１６９】
この場合、制御チャネルを介してデータチャネルなどのリソースマッピングに関する情報と共に、該当リソースでＳＳＢが送信されるかをＵＥが知る必要がある。よって、ＵＥは、サービングセルのＳＳＢの送信に関する情報は、各々のＳＳＢごとに正確に知る必要がある。よって、サービングセルが自由に設定して送信するＡＴＳＳに関する情報を、その周波数帯域において送信可能な最大ＳＳＢ数（Ｎｍａｘ，ＳＳＢ）に該当するビット数のビットマップを用いて正確に知らせなければならない。一方、ＡＴＳＳの位置をサービングセルが自由に設定するのではなく、予め設定された規則に従って決定されている場合、ＡＴＳＳに関する情報は、単に送信する個数のみを伝達することで、より簡単な形態でＡＴＳＳ情報を伝達することができる。
【０１７０】
一方、セルリストに含まれた隣接セルに対するＡＴＳＳの情報をサービングセルと同様な方法で知らせることができる。しかし、Ｎｍａｘ，ＳＳＢが大き過ぎる場合には、シグナリングオーバヘッドが大きいため、該当情報を圧縮した形態で構成した方が好ましい。
【０１７１】
ＮＲシステムにおいて、Ｎｍａｘ，ＳＳＢは、６ＧＨｚ以下の周波数帯域では最大８個、６ＧＨｚ以上の周波数帯域では最大６４個と定義されるため、Ｎｍａｘ，ＳＳＢが大き過ぎる場合とは、６ＧＨｚ以上の周波数帯域においてＳＳＢが送信される場合を意味する。
【０１７２】
即ち、例えば、Ｎｍａｘ，ＳＳＢ＝６４であり、ＡＴＳＳのＳＳＢインデックスが｛１，２，３，４，９，１０｝である場合、６４ビットのフルビットマップ（ｆｕｌｌ  ｂｉｔｍａｐ）を用いて、それぞれのＡＴＳＳに関する情報を送信すると、シグナリングオーバヘッドが大きくなり、以下のような様々な方法を用いることができる。
【０１７３】
（１）全６４個の候補ＳＳＢを８個のＳＳＢずつグループして、全８ビットのビットマップに圧縮して「１１００００００」のように送信することができる。このとき、必要なビットの数は８ビットとなる。この場合、ＵＥは「１１００００００」のビットマップ情報を受信したため、１〜１６のインデックスを有するＳＳＢに対するＲＳＲＰを優先して測定するか、該当ＳＳＢに限ってＲＳＲＰを測定してもよい。
【０１７４】
（２）上述した例において、実際に６個のＳＳＢ（ＳＳＢインデックス｛１，２，３，４，９，１０｝）が送信されるものの、送信されたＳＳＢインデックスのうち、最も高いインデックスを基準として、インデックス１から１０までのＳＳＢに対するＲＳＲＰを優先して測定するように「Ｍａｘ  ｉｎｄｅｘ＝１０」を知らせる方法も可能である。このとき、必要なビットの数は６ビットである。この場合、ＵＥは１〜１０のインデックスを有するＳＳＢに対してＲＳＲＰを優先して測定するか、該当ＳＳＢに限ってＲＳＲＰを測定してもよい。
【０１７５】
（３）（１）のように圧縮した形態のビットマップが共に、各グループの最低インデックスを始めとして何個のＳＳＢに対してＲＳＲＰを優先して測定するかを知らせる。例えば、８ビットのビットマップを用いて「１１００００００」を送信して、さらに各々のグループで４個のＳＳＢが実際に送信されることを指示するために、ＮＳＳＢｐｅｒＧｒｏｕｐ＝４を共に送信する。このとき、必要なビット数は８＋３＝１１ビットであり、ＵＥは１〜４、９〜１２のインデックスを有するＳＳＢに対してＲＳＲＰを優先して測定するか、該当ＳＳＢに限ってＲＳＲＰを測定してもよい。
【０１７６】
また、上述したＡＴＳＳ情報をＵＥが活用する方法は、以下のようである。
【０１７７】
実施例１−１：
【０１７８】
上述した方法によって基地局がＡＴＳＳ情報をＵＥに伝達する場合、ＵＥはＡＴＳＳ情報を受信した後、セルごとにＲＳＲＰを優先して測定すべきＳＳＢインデックスに関する情報又はＵＥが最小限に測定すべきＳＳＢインデックスに関する情報として上述したＡＴＳＳ情報を用いる。必要であれば、ＵＥはＡＴＳＳに含まれたＳＳＢ以外に他の候補ＳＳＢ時間位置でもＳＳＢのＲＳＲＰを測定することができ、他の候補ＳＳＢ時間位置において有効なＲＳＲＰ情報を取得した場合、これを基地局に報告することができる。即ち、ＲＳＲＰを優先して測定するための隣接セル（ｎｅｉｇｈｂｏｒ  ｃｅｌｌ）のＡＴＳＳ情報が実際のＡＴＳＳと正確に一致しないことがある。
【０１７９】
実施例１−２：
【０１８０】
また別の方法として、基地局がＡＴＳＳ情報をＵＥに伝達する場合、ＵＥはＡＴＳＳ情報を受信した後、ＵＥはＡＴＳＳ情報によるＡＴＳＳの位置を除くＳＳＢのインデックスに対しては基地局がＳＳＢを送信しないと仮定する。よって、ＡＴＳＳ情報による位置を除いてはＲＳＲＰ測定を行わない。これによって、ＵＥの電力消費を最小化することができる。一方、上述した方法は、ＳＳＢが送信されると仮定する位置ではなく、ＳＳＢが決して送信されないことからＲＳＲＰ測定を必要としないＳＳＢインデックスを指定することと解釈してもよい。
【０１８１】
一方、複雑度の減少及び電力消耗の減少のために、隣接セルに対して各セルごとにＡＴＳＳ情報をＵＥに送信しても、検出されたセルがセルリストに含まれない場合には、実際に送信されないＳＳＢに対しても受信パワーを測定する過程を行うという同様な問題点が発生する可能性がある。よって、セルリストに含まれないセルに対して適用可能なＳＳＢ送信に関する基本値（ｄｅｆａｕｌｔ  ｖａｌｕｅ）を知らせる必要がある。この基本値がセルごとに送信される情報ではないため、サービングセルと同様に、フルビットマップ（ｆｕｌｌ  ｂｉｔｍａｐ）のようにそれぞれのＳＳＢを指定する情報として送信されるか、又は、上述のように、圧縮した形態のＡＴＳＳ情報としても送信することができる。
【０１８２】
また、圧縮した形態の情報を用いても、セルの数が多過ぎて、シグナリングオーバヘッドが大きいか、殆どのセルが同一パターンでＳＳＢを送信する場合には、セルリスト上の各セル情報を省略して、ＵＥは上述した基本値（ｄｅｆａｕｌｔ  ｖａｌｕｅ）をサービングセルを除いた全てのセルに対して、ＲＳＲＰ測定において優先順位が適用されるＳＳＢ選択に用いることができる。さらに、上述した基本値（ｄｅｆａｕｌｔ  ｖａｌｕｅ）を定義するが、基本値を基地局が送信しない場合、ＵＥはサービングセルのＡＴＳＳ情報を隣接セルのＲＳＲＰ測定の優先順位を定めるＡＴＳＳ情報として用いる。一方、１ビットの情報を追加して、サービングセルのＡＴＳＳ情報を隣接セルに対するＡＴＳＳ情報として用いるように基地局が直接指示してもよい。このとき、基本値（ｄｅｆａｕｌｔ  ｖａｌｕｅ）は、実施例１−１乃至実施例１−２で定義する方法に従って用いられてもよい。
【０１８３】
上述したＡＴＳＳ情報は、ＵＥがＩＤＬＥモードにおいて隣接セルのＲＳＲＰ測定やページングメッセージ（ｐａｇｉｎｇ  ｍｅｓｓａｇｅ）のＲＥマッピング情報として用いるために、１次的にシステム情報（ｓｙｓｔｅｍ  ｉｎｆｏｒｍａｔｉｏｎ）を介して伝達する。さらに、ＡＴＳＳ情報はコール設定（ｃａｌｌ  ｃｏｎｆｉｇｕｒａｔｉｏｎ）過程においてＲＥマッピングのための情報又はＲＳＲＰ測定のためのより正確な情報として使用するためにＲＲＣメッセージで伝達することができ、ＲＲＣメッセージを介してＡＴＳＳ情報は、システム情報（ｓｙｓｔｅｍ  ｉｎｆｏｒｍａｔｉｏｎ）を介して受信したＡＴＳＳ情報より優先してもよい。即ち、システム情報を介してＡＴＳＳ情報を受信しても、その後、ＲＲＣメッセージを介してＡＴＳＳ情報を受信した場合には、ＵＥはＲＲＣメッセージを介して受信したＡＴＳＳ情報を用いてＳＳＢのＲＳＲＰ測定などを行うか、ＲＥマッピング情報を取得することができる。仮に、コール解除（ｃａｌｌ  ｒｅｌｅａｓｅ）となる場合、システム情報（ｓｙｓｔｅｍ  ｉｎｆｏｒｍａｔｉｏｎ）を介して受信した情報をサービングセル及び隣接セルに対するＡＴＳＳ情報として用いることができる。即ち、コール解除となった場合には、ＲＲＣメッセージを介して受信したＡＴＳＳ情報よりも、システム情報を介して受信したＡＴＳＳ情報を優先する。
【０１８４】
＜ビームフォーミングが行われる場合のＲＳＲＰ定義又はＲＳＲＰのための追加用語の定義＞
【０１８５】
ｍｍＷａｖｅのような高周波帯域において動作するシステムは、送信端のみならず受信端でもビームフォーミング（ｂｅａｍｆｏｒｍｉｎｇ）を利用することができる。また、受信端のビームフォーミングは、一般に、データチャネル又はコントロールチャネルの受信過程と共に移動性（ｍｏｂｉｌｉｔｙ）支援のための受信信号の品質測定のために使用された方が好ましい。受信端のビームフォーミング環境において動作するＵＥは、ＵＥの具現方式によって、アンテナ設定又はアナログビームフォーミングの特性が異なり得る。この場合、ＬＴＥと同様なＲＳＲＰ定義を使用すると、異なるアンテナ設定によって、ＵＥごとに異なるＲＳＲＰ値を測定して基地局に報告する可能性がある。もちろん、異なるアンテナ設定によって絶対的なＲＳＲＰ値が異なる値を有しても、アンテナ利得がチャネル上において異なる経路損失（ｐａｔｈｌｏｓｓ）として解釈され、このような経路損失値が全てのセルに対して同様に適用される場合、一般に、ハンドオーバー決定を判断するのに大きい問題にはなれない。
【０１８６】
しかし、これとは異なり、ＭＤＴ（ＴＳ  ３７．３２０，Ｍｉｎｉｍｉｚａｔｉｏｎ  ｏｆ  ｄｒｉｖｅ  ｔｅｓｔ）によれば、ＵＥから位置情報と共にＲＳＲＰなどの通信品質情報が報告された基地局は、自体的なセル最適化及びセル構成に上述した位置情報及び通信品質情報を活用することができる。一方、ＬＴＥでは、殆どのＵＥが無指向性アンテナ（ｏｍｎｉ−ｄｉｒｅｃｔｉｏｎａｌ  ａｎｔｅｎｎａ）を用いるため、測定上のエラー又はＵＥ形状によるアンテナ特性の差が、主に、位置によるＲＳＲＰの変化（ｖａｒｉａｔｉｏｎ）を引き起こした。一方、アンテナ設定又はアナログビームフォーミング特性がＵＥごとに異なる場合には、ＲＳＲＰの変化（ｖａｒｉａｔｉｏｎ）と共にＲＳＲＰに対するバイアス（ｂｉａｓ）が形成される問題が生じ、これによりネットワークがセル最適化を行うのに大きいエラーをもたらすという問題点がある。
【０１８７】
よって、本発明では、ＲＳＲＰの定義において、ＵＥによる異なるアンテナ設定を反映する方法を提案する。また、これによるＲＳＲＰ測定をＵＥで行うか、ＵＥが基地局に報告して、基地局がＲＳＲＰ値をビームフォーミングに反映することができる。
【０１８８】
即ち、システムは、ＵＥの基準アンテナ設定（ｒｅｆｅｒｅｎｃｅ  ａｎｔｅｎｎａ  ｃｏｎｆｉｇｕｒａｔｉｏｎ）を定義して、これを標準に定義したり、基地局が基準アンテナ設定をＵＥに伝達する。例えば、１つのアンテナポートを構成するアンテナ要素（ａｎｔｅｎｎａ  ｅｌｅｍｅｎｔ）の数は、一例に配置された４個を基準として設定して、基地局はこれをＵＥに伝達することができる。
【０１８９】
この後、基準アンテナを設定する場合、ＲＳＲＰ値にアンテナ設定による利得を反映するために、ＵＥと基地局は、以下のような方法を行ってもよい。
【０１９０】
（１）ＵＥは、現在の受信アンテナ設定を反映して、基準アンテナ設定（ｒｅｆｅｒｅｎｃｅ  ａｎｔｅｎｎａ  ｃｏｎｆｉｇｕｒａｔｉｏｎ）を仮定したときのＲＳＲＰＲＥＦ値を取得できるようにＲＳＲＰ値を補正する。例えば、現在の受信アンテナ設定が１６ａｎｔｅｎｎａ  ｅｌｅｍｅｎｔ  ｐｅｒ  ｐｏｒｔが用いられ、基準アンテナ設定（ｒｅｆｅｒｅｎｃｅ  ａｎｔｅｎｎａ  ｃｏｎｆｉｇｕｒａｔｉｏｎ）が４ａｎｔｅｎｎａ  ｅｌｅｍｅｎｔ  ｐｅｒ  ｐｏｒｔである場合、ＲＳＲＰＲＥＦ＝ＲＳＲＰ−６ｄＢに補正して、これに基づいて基地局にＲＳＲＰ値を報告する。このとき、移動性（ｍｏｂｉｌｉｔｙ）支援のためのＲＳＲＰと、ＭＤＴ用のＲＳＲＰ値に対する現在の受信アンテナ設定の反映可否を異ならせてもよく、これは標準のＲＳＲＰの定義によって反映されるか、これに対する反映可否を基地局が測定報告（ｍｅａｓｕｒｅｍｅｎｔ  ｒｅｐｏｒｔ）設定パラメータを介してＵＥに伝達してもよい。
【０１９１】
（２）ＵＥは、コール設定ステップ又はＭＤＴ設定ステップにおいて、基準アンテナ設定（ｒｅｆｅｒｅｎｃｅ  ａｎｔｅｎｎａ  ｃｏｎｆｉｇｕｒａｔｉｏｎ）のＲＳＲＰ値と現在の受信アンテナ設定によるＲＳＲＰ値の予測される差分値を基地局に報告する。この後、ＵＥは、現在のアンテナ設定によるＲＳＲＰ値を測定して基地局に報告して、基地局は報告されたＲＳＲＰ値と予め報告された差分値を提供してＲＳＲＰＲＥＦ値を求める。
【０１９２】
例えば、現在の受信アンテナ設定が１６  ａｎｔｅｎｎａ  ｅｌｅｍｅｎｔ  ｐｅｒ  ｐｏｒｔを用いて、基準アンテナ設定（ｒｅｆｅｒｅｎｃｅ  ａｎｔｅｎｎａ  ｃｏｎｆｉｇｕｒａｔｉｏｎ）が４  ａｎｔｅｎｎａ  ｅｌｅｍｅｎｔ  ｐｅｒ  ｐｏｒｔである場合、ＵＥは基地局にＲＳＲＰｄｅｌｔａ＝６ｄＢを報告して、基地局はその後の６ｄＢの値を、ＲＳＲＰｄｅｌｔａ値を報告したＵＥに対応させて記憶する。このとき、必要に応じてＵＥは周波数帯域ごとにＲＳＲＰｄｅｌｔａ値を報告してもよく、基地局は周波数帯域間測定（ｉｎｔｅｒ−ｆｒｅｑｕｅｎｃｙ  ｍｅａｓｕｒｅｍｅｎｔ）の結果にＲＳＲＰｄｅｌｔａを周波数帯域ごとに反映して、最終ＲＳＲＰ値を算出することができる。
【０１９３】
（３）ＵＥは、コール設定ステップ又はＭＤＴ設定ステップにおいて、アンテナポート当たりアンテナ要素の数のような現在の受信アンテナ設定を基地局に報告する。この後、ＵＥは、現在の受信アンテナ設定によるＲＳＲＰ値を測定して基地局に報告して、基地局は報告されたＵＥの受信アンテナ設定を反映してＲＳＲＰＲＥＦ値を求める。このとき、ＵＥは、各周波数帯域の受信アンテナ設定を基地局に報告して、基地局は周波数帯域間測定（ｉｎｔｅｒ−ｆｒｅｑｕｅｎｃｙ  ｍｅａｓｕｒｅｍｅｎｔ）結果に各周波数帯域の受信アンテナ設定を周波数帯域ごとに反映して最終ＲＳＲＰ値を算出することができる。
【０１９４】
＜周波数帯域間測定モード（ｉｎｔｅｒ−ｆｒｅｑｕｅｎｃｙ  ｍｅａｓｕｒｅｍｅｎｔ  ｍｏｄｅ）におけるＳＳＢ及びＣＳＩ−ＲＳ＞
【０１９５】
周波数帯域間測定モード（Ｉｎｔｅｒ−ｆｒｅｑｕｅｎｃｙ  ｍｅａｓｕｒｅｍｅｎｔ  ｍｏｄｅ）においてＣＳＩ−ＲＳを用いてＲＳＲＰを測定しようとするとき、ＣＳＩ−ＲＳは自己同期化（ｓｅｌｆ−ｓｙｎｃｈｒｏｎｉｚａｔｉｏｎ）できないため、ＳＳＢを介してセル検出及びセルに対するシステムタイミング（ｓｙｓｔｅｍ  ｔｉｍｉｎｇ）情報を取得して、取得した情報に基づいてＣＳＩ−ＲＳに対するＲＳＲＰを測定する。また、ＣＳＩ−ＲＳがＳＳＢとは異なるビーム幅を有するとき、リソース運用における自由度を確保するために、ターゲット周波数帯域においてセルはＣＳＩ−ＲＳがマッピングされたリソースを、各周波数帯域ごとに定義された全ての候補ＳＳＢを送信する時間区間（ｄｕｒａｔｉｏｎ）であるＳＳバーストセット（ｂｕｒｓｔ  ｓｅｔ）以外の時間に送信することができる。本発明では、上述のような場合、ＵＥが周波数帯域間（ｉｎｔｅｒ−ｆｒｅｑｕｅｎｃｙ）測定を行うための測定ギャップ（ｍｅａｓｕｒｅｍｅｎｔ  ｇａｐ）割り当て方法及びリソース割り当てに関する方法について説明する。
【０１９６】
基地局は、周波数帯域間測定（ｉｎｔｅｒ−ｆｒｅｑｕｅｎｃｙ  ｍｅａｓｕｒｅｍｅｎｔ）を行うための測定ギャップ（ｍｅａｓｕｒｅｍｅｎｔ  ｇａｐ）を設定するステップにおいて、セル検出のためのＳＳＢ用測定ギャップ（ｍｅａｓｕｒｅｍｅｎｔ  ｇａｐ）とＣＳＩ−ＲＳ  ＲＳＲＰ測定のためのＣＳＩ−ＲＳ用測定ギャップ（ｍｅａｓｕｒｅｍｅｎｔ  ｇａｐ）とを同時にＵＥに設定する。この場合、ＵＥはＳＳＢ用測定ギャップ（ｍｅａｓｕｒｅｍｅｎｔ  ｇａｐ）でセル検出のための動作を行い、検出されたセルに対するタイミング情報を取得することができる。また、ＵＥは、検出されたセルに対するＣＳＩ−ＲＳ  ＲＳＲＰ測定のために、ＣＳＩ−ＲＳ用測定ギャップ（ｍｅａｓｕｒｅｍｅｎｔ  ｇａｐ）を用いる。さらに、ＳＳＢ用測定ギャップ（ｍｅａｓｕｒｅｍｅｎｔ  ｇａｐ）とＣＳＩ−ＲＳ用測定ギャップ（ｍｅａｓｕｒｅｍｅｎｔ  ｇａｐ）は同一周期を有してもよく、異なる周期を有してもよく、重畳（ｏｖｅｒｌａｐ）されてもよい。
【０１９７】
但し、ＳＳＢ用測定ギャップ（ｍｅａｓｕｒｅｍｅｎｔ  ｇａｐ）とＣＳＩ−ＲＳ用測定ギャップ（ｍｅａｓｕｒｅｍｅｎｔ  ｇａｐ）とを同時に設定することから、サービングセルとの中止（ｉｎｔｅｒｒｕｐｔｉｏｎ）が頻繁に起こる可能性もあるため、ＳＳＢ用測定ギャップ（ｍｅａｓｕｒｅｍｅｎｔ  ｇａｐ）とＣＳＩ−ＲＳ用測定ギャップ（ｍｅａｓｕｒｅｍｅｎｔ  ｇａｐ）を設定するための他の方法を考えてもよい。
【０１９８】
即ち、ＳＳＢ用測定ギャップ（ｍｅａｓｕｒｅｍｅｎｔ  ｇａｐ）をＵＥに設定して、ＵＥが測定ギャップ（ｍｅａｓｕｒｅｍｅｎｔ  ｇａｐ）に基づいてＳＳＢを用いたセル検出、検出されたセルのタイミング情報及び検出されたセルに対するＳＳＢ  ＲＳＲＰを取得すると、取得した値又は情報の一部又は全部を基地局に報告して、基地局は、検出されたセルに対するＣＳＩ−ＲＳ  ＲＳＲＰに関する情報が必要であると判断する場合、ＵＥにＣＳＩ−ＲＳ用測定ギャップ（ｍｅａｓｕｒｅｍｅｎｔ  ｇａｐ）を設定する。このとき、ＵＥはＳＳＢを介したセル検出によって取得したセル情報とＣＳＩ−ＲＳ用測定ギャップ（ｍｅａｓｕｒｅｍｅｎｔ  ｇａｐ）を用いてＣＳＩ−ＲＳ  ＲＳＲＰを測定して、これを基地局に報告する。
【０１９９】
上述のような方法に関する格別な形態の測定ギャップ（ｍｅａｓｕｒｅｍｅｎｔ  ｇａｐ）割り当て方法及びリソース割り当てを説明すると、基地局が異なるビーム幅を有する信号又は異なるビーム方向に送信される信号を同一シンボルで送信する場合に発生するＵＥ複雑度を減少させて、ＣＳＩ−ＲＳを用いた周波数帯域間測定（ｉｎｔｅｒ−ｆｒｅｑｕｅｎｃｙ  ｍｅａｓｕｒｅｍｅｎｔ）を行うために、ＣＳＩ−ＲＳリソースを割り当てるとき、ＣＳＩ−ＲＳを空間的に（ｓｐａｔｉａｌｌｙ）ＱＣＬされたＳＳＢと同一シンボル領域内に割り当てることができる。
【０２００】
従って、特定のＳＳＢと空間的に（ｓｐａｔｉａｌｌｙ）ＱＣＬされたＣＳＩ−ＲＳリソースを割り当てるとき、ＣＳＩ−ＲＳの時間リソース情報は、特定のＳＳＢ内のＣＳＩ−ＲＳが位置するシンボルに関する情報のみを伝達すればよい。また、このような格別な形態の測定ギャップ（ｍｅａｓｕｒｅｍｅｎｔ  ｇａｐ）割り当て方法を活用すると、ＳＳＢ用測定ギャップ（ｍｅａｓｕｒｅｍｅｎｔ  ｇａｐ）とＣＳＩ−ＲＳ用測定ギャップ（ｍｅａｓｕｒｅｍｅｎｔ  ｇａｐ）とを別々に設定する必要がなく、共通の測定ギャップ（ｍｅａｓｕｒｅｍｅｎｔ  ｇａｐ）のみを割り当てればよい。
【０２０１】
最後に、測定ギャップ（ｍｅａｓｕｒｅｍｅｎｔ  ｇａｐ）割り当て方法について説明する。ＣＳＩ−ＲＳリソース（ｒｅｓｏｕｒｃｅ）を割り当てるとき、一般に、時間リソースに関する情報は、ＳＦＮ、フレームインデックス（ｆｒａｍｅ  ｉｎｄｅｘ）、スロットインデックス（ｓｌｏｔ  ｉｎｄｅｘ）、ＯＦＤＭシンボルインデックス（ｓｙｍｂｏｌ  ｉｎｄｅｘ）のように絶対的なシステム時間（ａｂｓｏｌｕｔｅ  ｓｙｓｔｅｍ  ｔｉｍｅ）に基づく。しかし、ＮＲシステムでは、ターゲットセルのＰＢＣＨをデコードしてシステム時間（ｓｙｓｔｅｍ  ｔｉｍｅ）を取得することができ、これはＵＥの複雑度を大きく増加させるという問題点がある。
【０２０２】
これを解決するために、周波数帯域間測定（ｉｎｔｅｒ−ｆｒｅｑｕｅｎｃｙ  ｍｅａｓｕｒｅｍｅｎｔ）及びＣＳＩ−ＲＳリソース設定ステップにおいて、ＣＳＩ−ＲＳの時間リソース情報をＳＳＢに対する相対的な位置に設定する場合、ＵＥはＰＢＣＨデコーディングを行わずに、ＣＳＩ−ＲＳリソースの位置を知ることができる。このために、ＣＳＩ−ＲＳリソース情報は、ターゲットセル又は全てのセルに共通して適用されるＳＳＢ用測定ギャップ（ｍｅａｓｕｒｅｍｅｎｔ  ｇａｐ）内のＳＳＢの時間軸位置と、ＣＳＩ−ＲＳ用測定ギャップ（ｍｅａｓｕｒｅｍｅｎｔ  ｇａｐ）内のＣＳＩ−ＲＳの時間軸位置の相対的な差に対する情報としてＵＥに伝達される。
【０２０３】
＜ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）ベースのＲＲＭ測定>
【０２０４】
１．ＣＳＩ−ＲＳ周期
【０２０５】
ＮＲシステムにおいてＣＳＩ−ＲＳは様々な目的のために用いられる。例えば、下りリンクＭＣＳ及びリソース割り当てを決定したり、下りリンクビーム及びＬ３移動性を管理するために用いられることができる。チャネル品質測定のためのＣＳＩ−ＲＳの特性はビーム管理／移動性のためのものとは差別できる。一方、Ｌ３移動性のためのＣＳＩ−ＲＳの設定（Ｃｏｎｆｉｇｕｒａｉｔｉｏｎ）は、ビーム管理（Ｍａｎａｇｅｍｅｎｔ）のためのＣＳＩ−ＲＳ設定に再使用することができる。即ち、移動性支援のためのＣＳＩ−ＲＳ設定とビーム管理のためのＣＳＩ−ＲＳ設定は同一であってもよい。
【０２０６】
Ｌ３移動性を支援するためのＣＳＩ−ＲＳの基本特性として、ＣＳＩ−ＲＳが周期的であるか、又は非周期的であるかを決定する必要がある。非周期的な方式でＣＳＩ−ＲＳをトリガする場合、下りリンク制御オーバヘッドが発生して、Ｌ３移動性のために隣接セルＣＳＩ−ＲＳ送信を動的にトリガすることが容易ではない。よって、Ｌ３移動性のためのＵＥ動作を考慮すれば、ＣＳＩ−ＲＳは周期的に送信されるべきである。
【０２０７】
一方、ＳＳＢの送信周期は、｛５ｍｓ，１０ｍｓ，２０ｍｓ，４０ｍｓ，８０ｍｓ，１６０ｍｓ｝のうちから選べられる。ところが、ＣＳＩ−ＲＳは、ＳＳＢが長い周期性を有して、細分化されたビームレベルで安定した移動性を支援するために、補完的な参照信号として用いられることができる。よって、ＣＳＩ−ＲＳの周期が長い必要はなく、ＲＲＭ測定のためのＣＳＩ−ＲＳの周期として｛５ｍｓ，１０ｍｓ，２０ｍｓ｝を用いることができる。
【０２０８】
２．ＣＳＩ−ＲＳ帯域幅
【０２０９】
ＬＴＥシステムでは、ＲＲＭ測定のためにＣＲＳを用いて、隣接セルのシステム帯域幅がサービングセルのシステム帯域幅とは異なり得るため、ＣＲＳの測定帯域幅は別として設定される。しかし、ＣＲＳの測定帯域幅が別として設定されることが、ＵＥの複雑性を最小化するために、ＵＥが最小限の性能要求事項を満たす範囲で測定帯域幅を用いることで、ＣＲＳを完全に使用しないことを意味することはない。
【０２１０】
ＮＲシステムにおいても全ての隣接セル（ｎｅｉｇｈｂｏｒ  ｃｅｌｌ）に適用されるＣＳＩ−ＲＳの送信帯域幅は、ＵＥ専用（ｄｅｄｉｃａｔｅｄ）ＲＲＣ設定（ｃｏｎｆｉｇｕｒａｔｉｏｎ）メッセージを介して設定されてもよい。ＵＥの観点から、ＵＥ専用ＲＲＣ設定メッセージを介して伝達される情報は、最大に許容可能な測定帯域幅を意味して、どれだけ広いＣＳＩ−ＲＳの帯域幅が実際の測定用途として用いられるかは具現イッシュである。
【０２１１】
３．ＣＳＩ−ＲＳニューマロロジー
【０２１２】
（１）副搬送波間隔（Ｓｕｂｃａｒｒｉｅｒ  Ｓｐａｃｉｎｇ）
【０２１３】
基本的に、ＣＳＩ−ＲＳの副搬送波間隔（Ｓｕｂｃａｒｒｉｅｒ  Ｓｐａｃｉｎｇ）は、リソース割り当てを容易にするために、データチャネルの副搬送波間隔に基づくが、隣接セル（ｎｅｉｇｈｂｏｒ  ｃｅｌｌ）のデータチャネル副搬送波間隔は、サービングセルのデータチャネル副搬送波間隔と同一でなくてもよい。よって、ＣＳＩ−ＲＳの副搬送波間隔は、ＲＲＣ設定（Ｃｏｎｆｉｇｕｒａｔｉｏｎ）メッセージを介して、セル当たり又は周波数当たりに半静的に（ｓｅｍｉ−ｓｔａｔｉｃａｌｌｙ）設定（Ｃｏｎｆｉｇｕｒａｔｉｏｎ）されることができる。その中でも、ＣＳＩ−ＲＳの副搬送波間隔は周波数当たり設定された方がＵＥの複雑性の減少という観点から好ましい。
【０２１４】
（２）サブタイム単位送信（Ｓｕｂ−ｔｉｍｅ  ｕｎｉｔ  Ｔｒａｎｓｍｉｓｓｉｏｎ）
【０２１５】
ビーム管理（Ｍａｎａｇｅｍｅｎｔ）のためのＣＳＩ−ＲＳ送信のために、ＮＲでは、参照ニューマロロジー（ｒｅｆｅｒｅｎｃｅ  ｎｕｍｅｒｏｌｏｇｙ）におけるＯＦＤＭシンボル以下のサイズを有するサブタイム単位を支援する。また、ＯＦＤＭシンボルにおいてビームスイーピング又は送信ビームスイーピングを受信するために、サブタイム単位送信の一部候補のうち、大きい副搬送波間隔（Ｌａｒｇｅｒ  Ｓｕｂｃａｒｒｉｅｒ  Ｓｐａｃｉｎｇ）は、ガード副搬送波によって低いスペクトル効率をもたらすだけではなく、異なるサンプリングレート、異なるＦＦＴサイズ及び異なるニューマロロジーのための更なる受信フィルタを求めるため、具現の複雑性が増加するという問題点がある。よって、サブタイム単位の送信のためには、ＩＦＤＭＡがさらに適する場合がある。
【０２１６】
４．ＱＣＬ情報と測定報告のコンテンツ
【０２１７】
連結（Ｃｏｎｎｅｃｔｅｄ）モードにおいて、下りリンク測定のために、ＳＳＢの他にＣＳＩ−ＲＳも使用可能である。即ち、複数のＳＢ−ＲＳＲＰを測定するための複数のＳＳＢが存在してもよく、このような複数のＳＳＢごとに複数のＣＳＩ−ＲＳが設定されてもよい。連結（Ｃｏｎｎｅｃｔｅｄ）モードにおいて、ＵＥはＳＳＢ−ＲＳＲＰに加えてＣＳＩ−ＲＳベースのＲＳＲＰを追跡するため、ＳＳＢ−ＲＳＲＰとＣＳＩ−ＲＳベースのＲＳＲＰとの関係は、下りリンク測定に有用に使用できる。
【０２１８】
一方、ＣＳＩ−ＲＳはＳＳＢと関連してもよい。即ち、ＵＥはＳＳＢを先に検出して、時間／周波数同期を取得して、セルごとに取得したＳＳＢからＣＳＩ−ＲＳの時間／周波数同期を推定することができる。また、ＳＳＢの帯域幅がＣＳＩ−ＲＳの帯域幅より広く、ＳＳＢの幅内に複数のＣＳＩ−ＲＳが存在できる場合、空間情報（ｓｐａｔｉａｌ  ｉｎｆｏｒｍａｔｉｏｎ）の一部はＳＳＢより取得することができる。換言すれば、ＣＳＩ−ＲＳセット（ｓｅｔ）は、特定のＳＳＢのビーム幅内で定義されることができ、このＣＳＩ−ＲＳセット情報はＵＥに提供される必要がある。一方、ＳＳＢの送信周期がＣＳＩ−ＲＳの送信周期より長い場合、ＣＳＩ−ＲＳとＳＳＢとの関係は、空間情報（ｓｐａｔｉａｌ  ｉｎｆｏｒｍａｔｉｏｎ）の取得に役立たない可能性がある。よって、この場合には、ＣＳＩ−ＲＳが特定のＳＳＢと関連しないこともある。
【０２１９】
よって、ＣＳＩ−ＲＳとＳＳＢの関連可否によって、測定報告（ｍｅａｓｕｒｅｍｅｎｔ  ｒｅｐｏｒｔ）のコンテンツが異なってもよい。ＣＳＩ−ＲＳ  ＲＳＲＰベースの測定イベントがトリガされるとき、ＣＳＩ−ＲＳがＳＳＢと関連する場合、ＣＳＩ−ＲＳ  ＲＳＲＰと共にＳＳＢ  ＲＳＲＰを報告する。一方、ＣＳＩ−ＲＳがＳＳＢと関連しない場合、ＵＥがＣＳＩ−ＲＳ  ＲＳＲＰを報告するとき、ＳＳＢ−ＲＳＲＰを報告する必要はない。また、ＣＳＩ−ＲＳリソースが特定のセルに対して設定されない場合、該当セルに対するＳＳＢ−ＲＳＲＰのみが報告されてもよい。
【０２２０】
５．セルリスト（Ｃｅｌｌ  Ｌｉｓｔ）に含まれないセルのためのＣＳＩ−ＲＳ測定
【０２２１】
ネットワークがＵＥｓ  ＣＳＩ−ＲＳベースの測定を構成するとき、ネットワークはセル当たりＣＳＩ−ＲＳ構成と隣接セルリストを提供することができる。シグナリングオーバヘッドを減らすために、隣接セルリスト又はＣＳＩ−ＲＳの数を制限してもよい。ＣＳＩ−ＲＳ設定（Ｃｏｎｆｉｇｕｒａｔｉｏｎ）の周期的な放送（Ｂｒｏａｄｃａｓｔｉｎｇ）を防止するために、ＣＳＩ−ＲＳ設定（Ｃｏｎｆｉｇｕｒａｔｉｏｎ）情報はＵＥ専用ＲＲＣシグナリングを介して提供される。端末が隣接セルリストに存在しないか、ＵＥにＣＳＩ−ＲＳが与えられないセルのＳＳＢを検出する場合、端末は該当セルに対するＣＳＩ−ＲＳ設定を求めてもよい。
【０２２２】
図１１は、本発明を実行する送信装置１０及び受信装置２０の構成要素を示すブロック図である。
【０２２３】
送信装置１０及び受信装置２０は、情報及び／又はデータ、信号、メッセージなどを運ぶ無線信号を送信又は受信できるＲＦ（Ｒａｄｉｏ  Ｆｒｅｑｕｅｎｃｙ）ユニット１３，２３と、無線通信システムにおける通信と関連した各種情報を記憶するメモリ１２，２２と、ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０２２４】
メモリ１２，２２は、プロセッサ１１，２１の処理及び制御のためのプログラムを記憶することができ、入／出力される情報を仮り記憶することができる。メモリ１２，２２がバッファーとして活用されてもよい。
【０２２５】
プロセッサ１１，２１は、通常、送信装置又は受信装置における各種モジュールの動作全般を制御する。特に、プロセッサ１１，２１は、本発明を実行するための各種制御機能を果たすことができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶことができる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１１，２１に備えられることができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１１，２１内に備えられたりメモリ１２，２２に格納されてプロセッサ１１，２１によって駆動されるようにすることができる。
【０２２６】
送信装置１０におけるプロセッサ１１は、プロセッサ１１又はプロセッサ１１に接続しているスケジューラからスケジュールされて外部に送信される信号及び／又はデータに対して所定の符号化（ｃｏｄｉｎｇ）及び変調（ｍｏｄｕｌａｔｉｏｎ）を行った後、ＲＦユニット１３に送信する。例えば、プロセッサ１１は、送信しようとするデータ列を逆多重化、チャネル符号化、スクランブリング及び変調などを経てＫ個のレイヤに変換する。符号化されたデータ列はコードワードとも呼ばれ、ＭＡＣ層が提供するデータブロックである送信ブロックと等価である。一送信ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために  ＲＦユニット１３はオシレータ（ｏｓｃｉｌｌａｔｏｒ）を含むことができる。ＲＦユニット１３はＮｔ個（Ｎｔは１以上の正の整数）の送信アンテナを含むことができる。
【０２２７】
受信装置２０の信号処理過程は、送信装置１０の信号処理過程の逆となる。プロセッサ２１の制御下に、受信装置２０のＲＦユニット２３は送信装置１０から送信された無線信号を受信する。ＲＦユニット２３は、Ｎｒ個の受信アンテナを含むことができ、ＲＦユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。ＲＦユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２２８】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組み合わせによって構成（ｃｏｎｆｉｇｕｒｅｄ）されてもよい。各アンテナから送信された信号は、受信装置２０でそれ以上分解することができない。該当アンテナに対応して送信された参照信号（ｒｅｆｅｒｅｎｃｅ ｓｉｇｎａｌ、ＲＳ）は、受信装置２０の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２０にとって上記アンテナに対するチャネル推定を可能にする。即ち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ Ｍｕｌｔｉ−Ｏｕｔｐｕｔ、ＭＩＭＯ）機能を支援するＲＦユニットの場合は、２個以上のアンテナと接続することができる。
【０２２９】
本発明においてＲＦユニット１３, ２３は、受信ビームフォーミングと送信ビームフォーミングを支援することができる。例えば、本発明において、ＲＦユニット１３，２３は、図５〜図８に例示された機能を行うように構成される。また、本発明においてＲＦユニット１３，２３は、トランシーバ（Ｔｒａｎｓｃｅｉｖｅｒ）とも称される。
【０２３０】
本発明の実施例において、ＵＥは上りリンクでは送信装置１０として動作して、下りリンクでは受信装置２０として動作する。本発明の実施例において、ｇＮＢは上りリンクでは受信装置２０として動作して、下りリンクでは送信装置１０として動作する。以下、ＵＥに備えられたプロセッサ、ＲＦユニット及びメモリはＵＥプロセッサ、ＵＥ ＲＦユニット及びＵＥメモリとそれぞれ称されて、ｇＮＢに備えられたプロセッサ、ＲＦユニット及びメモリはｇＮＢプロセッサ、ｇＮＢ ＲＦユニット及びｇＮＢメモリとそれぞれ称される。
【０２３１】
本発明のｇＮＢプロセッサは、セルリストに含まれたセルのための第１のＳＳＢ送信周期に関する情報と、セルリストに含まれないセルのための第２のＳＳＢ送信周期に関する情報をＵＥに送信して、予め設定された候補ＳＳＢ領域を介して１つ以上のＳＳＢをＵＥに送信する。
【０２３２】
このとき、ｇＮＢプロセッサは、ＵＥがＳＳＢを測定するためのオフセット及び測定区間に関する情報を共に送信してもよく、必要に応じて、ＣＳＩ−ＲＳに関する設定情報をＵＥにさらに送信して、この設定情報に従って、ＵＥにＣＳＩ−ＲＳを周期的又は非周期的に送信することができる。このとき、ＳＳＢはＰＳＳ／ＳＳＳ／ＰＢＣＨを含んでもよく、ＰＢＣＨがマッピングされた領域の一部はＤＭＲＳのために用いられてもよい。一方、ｇＮＢプロセッサは、ＵＥが測定したＲＳＲＰに対する報告を受信するようにトランシーバを制御することもできる。
【０２３３】
本発明のＵＥプロセッサは、セルリスト及びセルリストに含まれたセルのための第１のＳＳＢ送信周期に関する情報と、セルリストに含まれないセルのための第２のＳＳＢ送信周期に関する情報を受信して、オフセット及び測定区間に関する情報を共に受信するように制御する。また、第１、第２のＳＳＢ送信周期、オフセット及び測定区間に関する情報を用いて、各セルに対するＳＳＢ測定ウィンドーを設定（ｓｅｔｕｐ）する。
【０２３４】
このとき、前記オフセット及び測定区間は、全てのセルに対するＳＳＢ測定ウィンドーの設定に同様に適用される。即ち、複数のＳＳＢ測定ウィンドーを設定するために、同一のオフセット及び測定区間情報が用いられ、但し、第１、第２のＳＳＢ送信周期が各セル又は各セルグループごとに異なるように設定されるため、各セル又は各セルグループに対するＳＳＢ測定ウィンドーは異なるように設定されることがある。
【０２３５】
また、ＵＥプロセッサは、前記ＳＳＢ測定ウィンドー以外の時間では、ＳＳＢのＲＳＲＰを測定せず、ただＳＳＢ測定ウィンドー内でのみＳＳＢのＲＳＲＰを測定する。
【０２３６】
また、ＵＥプロセッサは、ＳＳＢを構成するＰＳＳ／ＳＳＳ／ＰＢＣＨのうち、ＳＳＳ及びＰＢＣＨ−ＤＭＲＳを用いてＳＳＢのＲＳＲＰを測定して、基地局からＣＳＩ−ＲＳ設定情報を受信した場合、前記ＣＳＩ−ＲＳをさらに用いて、ＳＳＢのＲＳＲＰを測定することができる。また、ＵＥプロセッサは、各セルに対して測定されたＳＳＢのＲＳＲＰをｇＮＢに報告するように制御することができる。
【０２３７】
本発明のｇＮＢプロセッサ又はＵＥプロセッサはアナログ又はハイブリッドビームフォーミングが使用される６ＧＨｚ以上の高周波帯域において動作するセル上に本発明を適用するように構成されてもよい。
【０２３８】
上述のような本発明の好適な実施例に関する詳細な説明は、当業者が本発明を具現して実施できるように提供される。上述では、本発明の好適な実施例を参照して説明したが、当該技術分野における熟練した当業者には、添付する特許請求の範囲に記載された本発明の思想及び領域から逸脱しない範囲内で本発明を様々に修正及び変更できるということが理解できる。したがって、本発明は、ここに示した実施の形態に制限されるものではなく、ここに開示した原理及び新規な特徴と一致する最広の範囲を与えるためのものである。
【産業上の利用可能性】
【０２３９】
上述のように、同期信号ブロック（Ｓｙｎｃｈｒｏｎｉｚａｔｉｏｎ  Ｓｉｇｎａｌ  Ｂｌｏｃｋ；ＳＳＢ）を測定する方法、及びそのための装置は、５世代ＮｅｗＲＡＴシステムに適用される例を中心として説明したが、５世代ＮｅｗＲＡＴシステムの他にも様々な無線通信システムに適用することができる。
【図１（Ａ）】
0006816311.tif 000005
【図１（Ｂ）】
0006816311.tif 000006
【図２】
0006816311.tif 000007
【図３（ａ）】
0006816311.tif 000008
【図３（ｂ）】
0006816311.tif 000009
【図４】
0006816311.tif 000010
【図５（ａ）】
0006816311.tif 000011
【図５（ｂ）】
0006816311.tif 000012
【図６】
0006816311.tif 000013
【図７】
0006816311.tif 000014
【図８】
0006816311.tif 000015
【図９】
0006816311.tif 000016
【図１０】
0006816311.tif 000017
【図１１】
0006816311.tif 000018